(57)【要約】  ディスプレイ装置及びその制御方法が提供される。本ディスプレイ装置の画角設定方法は、予め設定されたイベントが発生すると、ディスプレイ画面の一領域にディスプレイ装置に接続されたカメラ画角の設定をガイドする画角ガイドＵＩをディスプレイし、画角ガイドＵＩを用いてカメラの画角を設定する。それにより、ユーザは画角ガイドＵＩを用いてより容易にカメラの画角を設定することができるようになる。
2015535971.tif 000002
【特許請求の範囲】
【請求項１】
ディスプレイ装置の画角設定方法において、
予め設定されたイベントが発生すると、ディスプレイ画面の一領域に前記ディスプレイ装置に接続されたカメラ画角の設定をガイドする画角ガイドＵＩをディスプレイするステップと、
前記画角ガイドＵＩを用いて前記カメラの画角を設定するステップと
を含む画角設定方法。
【請求項２】
前記画角ガイドＵＩは、
モーションタスクモードにシフトするイベントが発生する際、ディスプレイされないことを特徴とする請求項１に記載の画角設定方法。
【請求項３】
前記画角ガイドＵＩは、
前記画角設定時に前記カメラによって撮影されている映像をディスプレイする画面を含むことを特徴とする請求項１に記載の画角設定方法。
【請求項４】
前記設定するステップは、
前記カメラの画角が予め設定された速度及び方向に自動的に移動するように前記カメラを調整するステップと、
前記カメラを調整する間にユーザ命令が入力されると、前記ユーザ命令が入力された時点の画角を前記カメラの画角に設定するステップと
を含むことを特徴とする請求項１に記載の画角設定方法。
【請求項５】
前記設定するステップは、
外部機器を用いたユーザの操作によって前記カメラを調整するステップと、
前記カメラを調整する間にユーザ命令が入力されると、前記ユーザ命令が入力された時点の画角を前記カメラの画角に設定するステップと
を含むことを特徴とする請求項１に記載の画角設定方法。
【請求項６】
前記予め設定されたイベントは、
前記ディスプレイ装置の最初の設置時に、前記ディスプレイ装置に電源が印加されるイベント、モーションタスクモードがオン（ｏｎ）になったイベント、前記ディスプレイ装置の制御メニューのうち画角設定メニューが選択されたイベントのうち、１つであることを特徴とする請求項１に記載の画角設定方法。
【請求項７】
前記カメラは、
モーションタスクモードで前記ディスプレイ装置を制御するためのユーザのモーションを撮影するカメラであることを特徴とする請求項１に記載の画角設定方法。
【請求項８】
ディスプレイ装置において、
ユーザのモーションを撮影するカメラと、
ディスプレイ部と、
予め設定されたイベントが発生すると、前記ディスプレイ部の一領域に前記カメラ画角の設定をガイドする画角ガイドＵＩをディスプレイし、前記画角ガイドＵＩを用いて前記カメラの画角を設定する制御部と
を含むディスプレイ装置。
【請求項９】
前記制御部は、
モーションタスクモードにシフトしても、前記画角ガイドＵＩをディスプレイせずに、前記ディスプレイ装置で提供する画面をディスプレイすることを特徴とする請求項８に記載のディスプレイ装置。
【請求項１０】
前記画角ガイドＵＩは、
前記画角設定時、前記カメラによって撮影されている映像をディスプレイする画面を含むことを特徴とする請求項８に記載のディスプレイ装置。
【請求項１１】
前記制御部は、
前記カメラの画角が予め設定された速度及び方向に自動的に移動するように前記カメラを調整し、前記カメラを調整する間にユーザ命令が入力されると、前記ユーザ命令が入力された時点の画角を前記カメラの画角に設定することを特徴とする請求項８に記載のディスプレイ装置。
【請求項１２】
前記制御部は、
外部機器を用いたユーザの操作によって前記カメラを調整し、前記カメラを調整する間にユーザ命令が入力されると、前記ユーザ命令が入力された時点の画角を前記カメラの画角に設定することを特徴とする請求項８に記載のディスプレイ装置。
【請求項１３】
前記予め設定されたイベントは、
前記ディスプレイ装置の最初の設置時に、前記ディスプレイ装置に電源が印加されるイベント、モーションタスクモードがオン（ｏｎ）になったイベント、前記ディスプレイ装置の制御メニューのうち画角設定メニューが選択されたイベントのうち、１つであることを特徴とする請求項８に記載のディスプレイ装置。
【請求項１４】
前記カメラは、
モーションタスクモードで前記ディスプレイ装置を制御するためのユーザのモーションを撮影するカメラであることを特徴とする請求項８に記載のディスプレイ装置。
【発明の詳細な説明】
【技術分野】
【０００１】
本発明は、ディスプレイ装置及びその制御方法に関し、より詳細には、ユーザ音声またはユーザモーションによって制御されるディスプレイ装置及びその制御方法に関する。
【背景技術】
【０００２】
電子技術の発展により、多様な種類のディスプレイ装置が開発・普及されている。特に、最近はテレビをはじめとする多様な類型のディスプレイ装置が一般家庭でも使われている。これらのディスプレイ装置は、ユーザの要求に応じてより多様な機能を備えるようになっている。特に、テレビの場合、最近はインターネットと接続されてインターネットサービスまでサポートしている。なお、ユーザはテレビを通じて数多くのデジタル放送チャネルも視聴できるようになっている。
【０００３】
よって、ディスプレイ装置の多様な機能を効率的に使うための多様な入力方法が要求されている。例えば、リモコンを用いた入力方法、マウスを用いた入力方法、及びタッチパッドを用いた入力方法等がディスプレイ装置に適用されている。
【０００４】
ところが、このような単純な入力方法だけでは、ディスプレイ装置の多様な機能を効果的に使いこなすことが困難であった。仮に、ディスプレイ装置のすべての機能をリモコンだけで制御するように実現すると、リモコンのボタン数を増やさざるを得なかった。この場合、一般のユーザがリモコンの使用法を習得することは決して容易なことではない。なお、多様なメニューを画面上に表示してユーザが当該メニューを探し出して選択する方法の場合、ユーザが複雑なメニューツリーを一々確認し、自分の望むメニューを選択しなければならないため、不便であった。
【０００５】
従って、近来は、ディスプレイ装置をより便利かつ直観的に制御するために、音声認識及びモーション認識を用いた技術が開発されている。特に、ユーザが音声認識またはモーション認識を用いてより効率的にディスプレイ装置を制御するために、ディスプレイ装置は音声認識またはモーション認識をガイドするＵＩが必要になった。
【０００６】
しかし、従来は、ディスプレイ装置を音声認識またはモーション認識で制御するための適切なＵＩが存在しないため、ユーザが音声認識またはモーション認識を用いてディスプレイ装置を制御することに多大な不便が存在している。
【発明の概要】
【発明が解決しようとする課題】
【０００７】
そこで、本発明は、上記問題に鑑みてなされたものであり、本発明の目的とするところは、ユーザが音声認識またはモーション認識を用いてより便利にディスプレイ装置を制御するための多様なＵＩを提供するディスプレイ装置及びその制御方法を提供することにある。
【課題を解決するための手段】
【０００８】
前記目的を達成するための本発明の一実施形態に係るディスプレイ装置の制御方法は、前記ディスプレイ装置を制御するためのユーザ音声をガイドする第１音声ガイド情報をディスプレイするステップと、前記ディスプレイ装置に接続された外部機器を制御するためのユーザ命令を入力されるステップと、前記ユーザ命令が入力されると、前記第１音声ガイド情報を、前記外部機器を制御するためのユーザ音声をガイドする第２音声ガイド情報に変更してディスプレイするステップとを含む。
【０００９】
そして、前記ディスプレイ装置に予め保存された複数の音声ガイド情報のうち、前記外部機器に対応する第２音声ガイド情報を検索して読み取るステップを更に含んでよい。
【００１０】
なお、前記ディスプレイ装置がテレビの場合、前記第１音声ガイド情報は、電源制御に関する音声命令語、外部機器実行に関する音声命令語、チャネル設定に関する音声命令語、音量設定に関する音声命令語のうち少なくとも１つを含み、前記外部機器がＤＶＤプレーヤ及びＢＤプレーヤのうちの一方の場合、前記第２音声ガイド情報は、電源制御に関する音声命令語、外部機器実行に関する音声命令語及び再生設定に関する音声命令語のうち少なくとも１つを含んでよい。
【００１１】
そして、前記第１音声ガイド情報がディスプレイされた場合、前記第１音声ガイド情報に含まれたユーザ音声命令語が入力されると、前記ユーザ音声命令語に応じて、前記ディスプレイ装置を制御するステップと、前記第２音声ガイド情報がディスプレイされた場合、前記第２音声ガイド情報に含まれたユーザ音声命令語が入力されると、前記入力されたユーザ音声命令語に対応する制御信号を生成し、前記生成された制御信号を前記外部機器に伝送するステップとを更に含んでよい。
【００１２】
なお、前記第２音声ガイド情報がディスプレイされた場合、前記第２音声ガイド情報に含まれた音声命令語のうちの１つに対応するユーザ音声命令語が入力されると、前記入力されたユーザ音声命令語に対応する制御信号を生成するステップと、前記生成された制御信号を前記外部機器に伝送するための中継機器に無線で伝送するステップとを更に含んでよい。
【００１３】
そして、前記生成された制御信号は、ブルートゥース通信によって前記中継機器に伝送され、前記中継機器は、前記伝送された制御信号をＩＲ信号に変換して前記外部機器に伝送してよい。
【００１４】
なお、前記第１音声ガイド情報及び前記第２音声ガイド情報のそれぞれは、前記ディスプレイ装置のモードが音声制御モードであることを示すアイコンを含んでよい。
そして、前記第１音声ガイド情報及び前記第２音声ガイド情報は、コンテンツのディスプレイされる画面の下段にディスプレイされてよい。
なお、前記ユーザ命令は、外部機器を制御するための音声入力部を介して入力されたユーザ音声命令であってよい。
【００１５】
一方、前記目的を達成するための本発明の一実施形態に係るディスプレイ装置は、ユーザ音声が入力される音声入力部と、ディスプレイ部と、前記ディスプレイ装置を制御するためのユーザ音声をガイドする第１音声ガイド情報を前記ディスプレイ部にディスプレイし、前記ディスプレイ装置に接続された外部機器を制御するためのユーザ命令が入力されると、前記第１音声ガイド情報を、前記外部機器を制御するためのユーザ音声をガイドする第２音声ガイド情報に変更してディスプレイするように前記ディスプレイ部を制御する制御部とを含む。
【００１６】
そして、複数の音声ガイド情報を保存する保存部を更に含み、前記制御部は、前記保存部に保存された複数の音声ガイド情報のうち、前記外部機器に対応する第２音声ガイド情報を検索して読み取ってよい。
【００１７】
なお、前記ディスプレイ装置がテレビの場合、前記第１音声ガイド情報は、電源制御に関する音声命令語、外部機器実行に関する音声命令語、チャネル設定に関する音声命令語、音量設定に関する音声命令語のうち少なくとも１つを含み、前記外部機器がＤＶＤプレーヤ及びＢＤプレーヤのうちの一方の場合、前記第２音声ガイド情報は、電源制御に関する音声命令語、外部機器実行に関する音声命令語及び再生設定に関する音声命令語のうち少なくとも１つを含んでよい。
【００１８】
そして、前記外部機器と接続を行う外部端子入力部を更に含み、前記制御部は、前記第１音声ガイド情報がディスプレイされた場合、前記第１音声ガイド情報に含まれたユーザ音声命令語が入力されると、前記ユーザ音声命令語に応じて、前記ディスプレイ装置を制御し、前記第２音声ガイド情報がディスプレイされた場合、前記第２音声ガイド情報に含まれたユーザ音声命令語が入力されると、前記入力されたユーザ音声命令語に対応する制御信号を生成し、前記生成された制御信号を前記外部端子入力部を介して前記外部機器に伝送してよい。
【００１９】
なお、前記外部機器と通信を行う中継機器と通信を行うネットワークインターフェース部を更に含み、前記制御部は、前記第２音声ガイド情報がディスプレイされた場合、前記第２音声ガイド情報に含まれた音声命令語のうちの１つに対応するユーザ音声命令語が入力されると、前記入力されたユーザ音声命令語に対応する制御信号を生成し、前記生成された制御信号を前記ネットワークインターフェース部を介して前記中継機器に無線で伝送してよい。
【００２０】
そして、前記生成された制御信号は、ブルートゥース通信によって前記中継機器に伝送され、前記中継機器は、前記伝送された制御信号をＩＲ信号に変換して前記外部機器に伝送してよい。
【００２１】
なお、前記第１音声ガイド情報及び前記第２音声ガイド情報のそれぞれは、前記ディスプレイ装置のモードが音声制御モードであることを示すアイコンを含んでよい。
そして、前記第１音声ガイド情報及び前記第２音声ガイド情報は、コンテンツのディスプレイされる画面の下段にディスプレイされてよい。
なお、前記ユーザ命令は、前記外部機器を制御するための前記音声入力部を介して入力されたユーザ音声命令であってよい。
【００２２】
一方、前記目的を達成するための本発明の一実施形態に係るディスプレイ装置の制御方法は、前記ディスプレイ装置を制御するためのユーザモーションをガイドする第１モーションガイド情報をディスプレイするステップと、前記ディスプレイ装置に接続された外部機器を制御するためのユーザ命令が入力されるステップと、前記ユーザ命令が入力されると、前記第１モーションガイド情報を、前記外部機器を制御するためのユーザモーションをガイドする第２モーションガイド情報に変更してディスプレイするステップとを含む。
【００２３】
一方、前記目的を達成するための本発明の一実施形態に係るディスプレイ装置は、ユーザモーションが入力される音声モーション部と、ディスプレイ部と、前記ディスプレイ装置を制御するためのユーザモーションをガイドする第１モーションガイド情報を前記ディスプレイ部にディスプレイし、前記ディスプレイ装置に接続された外部機器を制御するためのユーザ命令が入力されると、前記第１モーションガイド情報を、前記外部機器を制御するためのユーザモーションをガイドする第２モーションガイド情報に変更してディスプレイするように前記ディスプレイ部を制御する制御部とを含む。
【００２４】
一方、前記目的を達成するための本発明の一実施形態に係るディスプレイ装置の画角設定方法は、予め設定されたイベントが発生すると、ディスプレイ画面の一領域に前記ディスプレイ装置に接続されたカメラ画角の設定をガイドする画角ガイドＵＩをディスプレイするステップと、前記画角ガイドＵＩを用いて前記カメラの画角を設定するステップとを含む。
そして、前記画角ガイドＵＩは、モーションタスクモードにシフトするイベントが発生する際、ディスプレイされなくてよい。
なお、前記画角ガイドＵＩは、前記画角設定時に前記カメラによって撮影されている映像をディスプレイする画面を含んでよい。
【００２５】
そして、前記設定するステップは、前記カメラの画角が予め設定された速度及び方向に自動的に移動するように前記カメラを調整するステップと、前記カメラを調整する間にユーザ命令が入力されると、前記ユーザ命令が入力された時点の画角を前記カメラの画角に設定するステップとを含んでよい。
【００２６】
なお、前記設定するステップは、外部機器を用いたユーザの操作によって前記カメラを調整するステップと、前記カメラを調整する間にユーザ命令が入力されると、前記ユーザ命令が入力された時点の画角を前記カメラの画角に設定するステップとを含んでよい。
【００２７】
そして、前記予め設定されたイベントは、前記ディスプレイ装置の最初の設置時に、前記ディスプレイ装置に電源が印加されるイベント、モーションタスクモードがオン（ｏｎ）になったイベント、前記ディスプレイ装置の制御メニューのうち画角設定メニューが選択されたイベントのうち、１つであってよい。
なお、前記カメラは、モーションタスクモードで前記ディスプレイ装置を制御するためのユーザのモーションを撮影するカメラであってよい。
【００２８】
一方、前記目的を達成するための本発明の一実施形態に係るディスプレイ装置は、ユーザのモーションを撮影するカメラと、ディスプレイ部と、予め設定されたイベントが発生すると、前記ディスプレイ部の一領域に前記カメラ画角の設定をガイドする画角ガイドＵＩをディスプレイし、前記画角ガイドＵＩを用いて前記カメラの画角を設定する制御部とを含む。
【００２９】
そして、前記制御部は、モーションタスクモードにシフトしても、前記画角ガイドＵＩをディスプレイせずに、前記ディスプレイ装置で提供する画面をディスプレイしてよい。
なお、前記画角ガイドＵＩは、前記画角設定時、前記カメラによって撮影されている映像をディスプレイする画面を含んでよい。
【００３０】
そして、前記制御部は、前記カメラの画角が予め設定された速度及び方向に自動的に移動するように前記カメラを調整し、前記カメラを調整する間にユーザ命令が入力されると、前記ユーザ命令が入力された時点の画角を前記カメラの画角に設定してよい。
【００３１】
なお、前記制御部は、外部機器を用いたユーザの操作によって前記カメラを調整し、前記カメラを調整する間にユーザ命令が入力されると、前記ユーザ命令が入力された時点の画角を前記カメラの画角に設定してよい。
【００３２】
そして、前記予め設定されたイベントは、前記ディスプレイ装置の最初の設置時に、前記ディスプレイ装置に電源が印加されるイベント、モーションタスクモードがオン（ｏｎ）になったイベント、前記ディスプレイ装置の制御メニューのうち画角設定メニューが選択されたイベントのうち、１つであってよい。
なお、前記カメラは、モーションタスクモードで前記ディスプレイ装置を制御するためのユーザのモーションを撮影するカメラであってよい。
【００３３】
一方、前記目的を達成するための本発明の一実施形態に係るディスプレイ装置の制御方法は、モーション開始命令が入力されると、モーションタスクモードを行うためのアイコン及びポインタをディスプレイするステップと、ユーザの第１モーションに応じて前記ポインタを移動させるステップと、前記ポインタが前記アイコンに位置した状態で前記ユーザの第２モーションが入力されると、前記アイコンに対応する機能を実行するステップとを含む。
そして、前記アイコンに位置した前記ポインタは、前記ユーザの第２モーションが入力される間に動かずに固定されてよい。
【００３４】
なお、前記実行するステップは、前記ポインタが前記アイコンに位置しつつ前記第２モーションの入力が保持されると、前記ポインタの位置するアイコンの機能を連続的に実行してよい。
【００３５】
そして、前記ユーザの第１モーションは、ユーザの手を開いたスプレッド（ｓｐｒｅａｄ）モーションであり、前記ユーザの第２モーションは、前記ユーザの手を握るグラブ（ｇｒａｂ）モーションであってよい。
なお、前記アイコンは、音量アップアイコン、音量ダウンアイコン、チャネルアップアイコン及びチャネルダウンアイコンのうち、少なくとも１つを含んでよい。
【００３６】
そして、前記アイコンは、ディスプレイ画面の左側領域及び右側領域のうちの一方にディスプレイされる前記音量アップアイコン及び前記音量ダウンアイコンと、前記ディスプレイ画面の左側領域及び右側領域のうちの一方にディスプレイされる前記チャネルアップアイコン及び前記チャネルダウンアイコンを含んでよい。
【００３７】
なお、前記音量アップアイコン及び前記音量ダウンアイコンのディスプレイされる領域には、前記ディスプレイ装置の現在の音量レベル情報がディスプレイされ、前記チャネルアップアイコン及び前記チャネルダウンアイコンのディスプレイされる領域には、前記ディスプレイ装置の現在のチャネル情報がディスプレイされてよい。
【００３８】
そして、モーション終了モーションが入力されると、前記ディスプレイされた複数のアイコン及びポインタをディスプレイ画面から除去するステップを更に含んでよい。
【００３９】
一方、前記目的を達成するための本発明の一実施形態に係るディスプレイ装置は、ユーザのモーションが入力されるモーション入力部と、ディスプレイ部と、前記モーション入力部を介してモーション開始命令が入力されると、モーションタスクモードを行うためのアイコン及びポインタをディスプレイし、前記モーション入力部に入力されたユーザの第１モーションに応じて前記ポインタを移動させるように前記ディスプレイ部を制御し、前記ポインタが前記アイコンに位置した状態で、前記モーション入力部にユーザの第２モーションが入力されると、前記アイコンに対応する機能を実行する制御部とを含む。
そして、前記制御部は、前記ユーザの第２モーションが入力される間に前記ポインタの位置を動かずに固定させてよい。
【００４０】
なお、前記制御部は、前記ポインタが前記アイコンに位置しつつ前記第２モーションが保持されると、前記ポインタの位置するアイコンの機能を連続的に実行してよい。
【００４１】
そして、前記ユーザの第１モーションは、ユーザの手を開いたスプレッド（ｓｐｒｅａｄ）モーションであり、前記ユーザの第２モーションは、前記ユーザの手を握るグラブ（ｇｒａｂ）モーションであってよい。
なお、前記アイコンは、音量アップアイコン、音量ダウンアイコン、チャネルアップアイコン及びチャネルダウンアイコンのうち、少なくとも１つを含んでよい。
【００４２】
そして、前記アイコンは、ディスプレイ画面の左側領域及び右側領域のうちの一方にディスプレイされる前記音量アップアイコン及び前記音量ダウンアイコンと、前記ディスプレイ画面の左側領域及び右側領域のうちの一方にディスプレイされる前記チャネルアップアイコン及び前記チャネルダウンアイコンを含んでよい。
【００４３】
なお、前記音量アップアイコン及び前記音量ダウンアイコンのディスプレイされる領域には、前記ディスプレイ装置の現在の音量レベル情報がディスプレイされ、前記チャネルアップアイコン及び前記チャネルダウンアイコンのディスプレイされる領域には、前記ディスプレイ装置の現在のチャネル情報がディスプレイされてよい。
【００４４】
そして、前記制御部は、前記モーション入力部を介してモーション終了モーションが入力されると、前記ディスプレイされた複数のアイコン及びポインタを前記ディスプレイ部のディスプレイ画面から除去してよい。
【００４５】
一方、前記目的を達成するための本発明の一実施形態に係る音声認識が可能なディスプレイ装置の制御方法は、音声開始命令が入力されるステップと、前記音声開始命令が第１音声開始命令である場合、前記ディスプレイ装置の音声入力部に入力されたユーザ音声に応じて制御される第１音声タスクモードに切り替え、前記音声開始命令が第２音声開始命令である場合、前記ディスプレイ装置と連動する外部機器に入力されたユーザ音声に応じて制御される第２音声タスクモードに切り替えるステップと、前記切り替えられた音声タスクモードに対応する音声ガイド情報をディスプレイするステップとを含む。
【００４６】
そして、前記第１音声開始命令は、予め設定された単語の含まれたユーザの音声命令であり、前記第２音声開始命令は、前記外部機器に含まれた予め設定されたボタンの押されるユーザ命令であってよい。
なお、前記音声ガイド情報は、前記第１音声タスクモード及び前記第２音声タスクモードのうち、切り替えられたモードを示すアイコン領域を含んでよい。
【００４７】
そして、前記音声ガイド情報は、音声タスクモードを行うために、ユーザ音声をガイドする複数個の音声命令語を含み、前記第１音声タスクモードの音声ガイド情報と前記第２音声タスクの音声ガイド情報とに含まれた音声命令語は相互異なってよい。
【００４８】
なお、前記第１音声タスクモードの音声ガイド情報は、チャネルアップ／ダウン命令を行うための音声命令語が含まれ、前記第２音声タスクモードの音声ガイド情報は、チャネルアップ／ダウン命令を行うための音声命令語が含まれず、チャネルリスト提供のための音声命令語が含まれてよい。
そして、前記第２音声タスクモードは、前記外部機器の予め設定された第２ボタンが押され、前記外部機器に入力されたユーザ音声命令によって制御されてよい。
なお、前記外部機器は、リモコンであってよい。
【００４９】
一方、前記目的を達成するための本発明の一実施形態に係るディスプレイ装置は、ユーザ音声が入力される音声入力部と、ディスプレイ部と、前記音声入力部を介して入力された音声開始命令が第１音声開始命令である場合、前記ディスプレイ装置の音声入力部に入力されたユーザ音声に応じて制御される第１音声タスクモードに切り替え、前記音声開始命令が第２音声開始命令である場合、前記ディスプレイ装置と連動する外部機器に入力されたユーザ音声に応じて制御される第２音声タスクモードに切り替え、前記切り替えられた音声タスクモードに対応する音声ガイド情報を前記ディスプレイ部にディスプレイする制御部とを含む。
【００５０】
そして、前記第１音声開始命令は、予め設定された単語の含まれたユーザの音声命令であり、前記第２音声開始命令は、前記外部機器に含まれた予め設定されたボタンの押されるユーザ命令であってよい。
なお、前記音声ガイド情報は、前記第１音声タスクモード及び前記第２音声タスクモードのうち、切り替えられたモードを示すアイコン領域を含んでよい。
【００５１】
そして、前記音声ガイド情報は、音声タスクモードを行うために、ユーザ音声をガイドする複数個の音声命令語を含み、前記第１音声タスクモードの音声ガイド情報と前記第２音声タスクの音声ガイド情報とに含まれた音声命令語は相互異なってよい。
【００５２】
なお、前記第１音声タスクモードの音声ガイド情報は、チャネルアップ／ダウン命令を行うための音声命令語が含まれ、前記第２音声タスクモードの音声ガイド情報は、チャネルアップ／ダウン命令を行うための音声命令語が含まれず、チャネルリスト提供のための音声命令語が含まれてよい。
そして、前記第２音声タスクモードは、前記外部機器の予め設定された第２ボタンが押され、前記外部機器に入力されたユーザ音声命令によって制御されてよい。
なお、前記外部機器は、リモコンであってよい。
【００５３】
一方、前記目的を達成するための本発明の一実施形態に係るディスプレイ装置の制御方法は、両手（ｔｗｏ  ｈａｎｄｓ）を用いたモーションタスクを行うための両手開始命令が入力されるステップと、前記両手開始命令が入力されると、前記両手を用いてモーションタスクを行う両手タスクモードに切り替えるステップと、前記両手タスクモードに切り替えられると、前記両手を用いるモーションタスクを行うための両手入力ガイドＧＵＩをディスプレイするステップとを含む。
【００５４】
そして、前記入力されるステップは、片手を用いたモーション開始命令が入力されると、モーションタスクを行うためのモーションタスクモードに切り替え、前記モーションタスクモードに切り替わった状態で他方の手を用いたモーション開始命令が入力されると、前記両手開始命令が入力されたと認識してよい。
なお、前記入力されるステップは、前記両手を同時に複数回振るシェイクモーションが入力されると、前記両手開始命令が入力されたと認識してよい。
そして、前記両手を用いるモーションタスクは、ディスプレイ画面を拡大するか縮小するタスクであってよい。
【００５５】
なお、前記両手入力ガイドＧＵＩが前記ディスプレイ画面上の一領域に表示された状態で、前記両手が相互離れるモーションが入力されると、前記両手ガイドＧＵＩが表示された領域内の所定位置を基準にディスプレイ画面を拡大し、前記両手が相互近づくモーションが入力されると、前記両手入力ガイドＧＵＩが表示された領域内の所定位置を基準にディスプレイ画面を縮小するステップを含んでよい。
【００５６】
そして、前記両手入力ガイドＧＵＩをディスプレイするステップは、前記ディスプレイ画面の中央領域に位置する円状の両手入力ガイドＧＵＩをディスプレイしてよい。
【００５７】
なお、前記両手の移動モーションが入力されると、前記両手の移動モーションに対応するように前記円状の両手入力ガイドＧＵＩを移動させるステップを含んでよい。
【００５８】
そして、前記両手入力ガイドＧＵＩは、前記ユーザの両手の位置に対応する地点にディスプレイされる２つのポインタであり、前記両手を用いるモーションタスクは、前記２つのポインタを用いてディスプレイ画面を拡大するか縮小するタスクであってよい。
【００５９】
一方、前記目的を達成するための本発明の一実施形態に係るディスプレイ装置は、ユーザのモーションが入力されるモーション入力部と、ディスプレイ部と、前記モーション入力部に両手（ｔｗｏ  ｈａｎｄｓ）を用いたモーションタスクを行うための両手開始命令が入力されると、前記両手を用いたモーションタスクを行う両手タスクモードに切り替え、前記両手を用いるモーションタスクを行うための両手入力ガイドＧＵＩを前記ディスプレイ部にディスプレイする制御部とを含む。
【００６０】
そして、前記制御部は、前記モーション入力部に片手を用いたモーション開始命令が入力されると、モーションタスクを行うためのモーションタスクモードに切り替え、前記モーションタスクモードに切り替わった状態で前記モーション入力部に他方の手を用いたモーション開始命令が入力されると、前記両手開始命令が入力されたと認識してよい。
【００６１】
なお、前記制御部は、前記モーション入力部を介して前記両手を同時に複数回振るシェイクモーションが入力されると、前記両手開始命令が入力されたと認識してよい。
そして、前記両手を用いるモーションタスクは、ディスプレイ画面を拡大するか縮小するタスクであってよい。
【００６２】
なお、前記制御部は、前記両手入力ガイドＧＵＩが前記ディスプレイ画面上の一領域に表示された状態で、前記両手が相互離れるモーションが入力されると、前記両手ガイドＧＵＩが表示された領域内の所定位置を基準にディスプレイ画面を拡大し、前記両手が相互近づくモーションが入力されると、前記両手入力ガイドＧＵＩが表示された領域内の所定位置を基準にディスプレイ画面を縮小してよい。
そして、前記両手入力ガイドＧＵＩは、前記ディスプレイ画面の中央領域に位置する円状のＧＵＩであってよい。
【００６３】
なお、前記制御部は、前記モーション入力部を介して前記両手の移動モーションが入力されると、前記両手の移動モーションに対応するように前記円状の両手入力ガイドＧＵＩを移動させてよい。
【００６４】
そして、前記両手入力ガイドＧＵＩは、前記ユーザの両手の位置に対応する地点にディスプレイされる２つのポインタであり、前記両手を用いるモーションタスクは、前記２つのポインタを用いてディスプレイ画面を拡大するか縮小するタスクであってよい。
【００６５】
一方、前記目的を達成するための本発明の一実施形態に係るディスプレイ装置の制御方法は、音声入力部を介して音声開始命令が入力されるステップと、前記音声開始命令が入力されると、ディスプレイ装置のモードを音声タスクモードに切り替えるステップと、前記音声タスクモードで音声認識エラーが生じた場合、音声認識エラーガイドをガイドするための複数のフィードバックメッセージのうちの１つをディスプレイするステップとを含む。
【００６６】
そして、前記音声タスクモードで音声認識エラーが繰り返し発生した場合、前記複数のフィードバックメッセージのうちの１つをランダムに選択してディスプレイするステップを含んでよい。
【００６７】
なお、前記音声タスクモードは、前記ディスプレイ装置の音声入力部に入力されたユーザ音声に応じて制御される第１音声タスクモード及び前記ディスプレイ装置と連動する外部機器に入力されたユーザ音声に応じて制御される第２音声タスクモードを含んでよい。
そして、前記複数のフィードバックメッセージは、前記音声タスクモードの種類に応じて異なってよい。
なお、前記複数のフィードバックメッセージは、前記音声認識エラーの種類に応じて異なってよい。
【００６８】
そして、前記音声認識エラーは、前記音声入力部を介して入力されたユーザ音声を明確に認識できないエラー、ユーザ音声を入力した後に予め設定された時間の間外部機器の認識ボタンを予め設定された時間の間押しているエラー、及び前記外部機器の認識ボタンを押した後に予め設定された時間の間ユーザ音声が入力されないエラーのうち、少なくとも１つを含んでよい。
【００６９】
なお、前記ディスプレイステップは、前記音声認識エラーが初めて発生した場合、デフォルト（ｄｅｆａｕｌｔ）されたフィードバックメッセージをディスプレイしてよい。
【００７０】
一方、前記目的を達成するための本発明の一実施形態に係るディスプレイ装置は、ユーザ音声が入力される音声入力部と、ディスプレイ部と、前記音声入力部を介して音声開始命令が入力されると、ディスプレイ装置のモードを音声タスクモードに切り替え、前記音声タスクモードで音声認識エラーが生じた場合、音声認識エラーガイドをガイドするための複数のフィードバックメッセージのうちの１つを前記ディスプレイ部にディスプレイする制御部とを含む。
【００７１】
そして、前記制御部は、前記音声タスクモードで音声認識エラーが繰り返し発生した場合、前記複数のフィードバックメッセージのうちの１つをランダムに選択してディスプレイしてよい。
【００７２】
なお、前記音声タスクモードは、前記ディスプレイ装置の音声入力部に入力されたユーザ音声に応じて制御される第１音声タスクモード及び前記ディスプレイ装置と連動する外部機器に入力されたユーザ音声に応じて制御される第２音声タスクモードを含んでよい。
そして、前記複数のフィードバックメッセージは、前記音声タスクモードの種類に応じて異なってよい。
なお、前記複数のフィードバックメッセージは、前記音声認識エラーの種類に応じて異なってよい。
【００７３】
そして、前記音声認識エラーは、前記音声入力部を介して入力されたユーザ音声を明確に認識できないエラー、ユーザ音声を入力した後に予め設定された時間の間外部機器の認識ボタンを予め設定された時間の間押しているエラー、及び前記外部機器の認識ボタンを押した後に予め設定された時間の間ユーザ音声が入力されないエラーのうち、少なくとも１つを含んでよい。
【００７４】
なお、前記制御部は、前記音声認識エラーが初めて発生した場合、デフォルト（ｄｅｆａｕｌｔ）されたフィードバックメッセージを前記ディスプレイ部にディスプレイしてよい。
【００７５】
一方、前記目的を達成するための本発明の一実施形態に係るディスプレイ装置の制御方法は、音声入力部を介して音声開始命令が入力されるステップと、前記音声開始命令が入力されると、前記ディスプレイ装置のモードをユーザ音声によって制御される音声タスクモードに切り替え、前記ディスプレイ装置で音声タスクモードを行うための複数の音声命令語を含む音声ガイド情報をディスプレイするステップと、ユーザ入力に応じて、前記複数の音声命令語のうち少なくとも１つを他の音声命令語に変更するステップとを含む。
そして、前記音声ガイド情報は、音声命令語が固定的にディスプレイされる固定命令語領域及び音声命令語が可変的に変更される変更命令語領域を含んでよい。
なお、前記固定命令語領域には、前記ディスプレイ装置の電源オフを行うための音声命令語が含まれてよい。
【００７６】
そして、前記変更するステップは、アプリケーションを実行するためのユーザ命令が入力されると、前記アプリケーションを実行するステップと、前記アプリケーションが実行されると、前記複数の音声命令語のうち少なくとも１つを前記実行されたアプリケーションに対応する音声命令語に変更するステップとを含んでよい。
【００７７】
なお、前記変更するステップは、前記ユーザ好みの音声命令語をディスプレイするためのユーザ命令が入力されるステップと、前記ユーザ命令が入力されると、前記複数の音声命令語のうち少なくとも１つをユーザによって設定されたユーザ好みの音声命令語に変更するステップとを含んでよい。
そして、前記変更された音声ガイド情報には変更前の音声ガイド情報に切り替えを行うための音声命令語が含まれてよい。
【００７８】
一方、前記目的を達成するための本発明の一実施形態に係るディスプレイ装置は、ユーザ音声が入力される音声入力部と、ディスプレイ部と、前記音声入力部を介して音声開始命令が入力されると、前記ディスプレイ装置のモードをユーザ音声によって制御される音声タスクモードに切り替え、前記ディスプレイ装置で音声タスクモードを行うための複数の音声命令語を含む音声ガイド情報を前記ディスプレイ部にディスプレイし、ユーザ入力によって、前記複数の音声命令語のうち少なくとも１つを他の音声命令語に変更する制御部とを含む。
そして、前記音声ガイド情報は、音声命令語が固定的にディスプレイされる固定命令語領域及び音声命令語が可変的に変更される変更命令語領域を含んでよい。
なお、前記固定命令語領域には、前記ディスプレイ装置の電源オフを行うための音声命令語が含まれてよい。
【００７９】
そして、前記制御部は、アプリケーションを実行するためのユーザ命令が入力されると、前記アプリケーションを実行し、前記複数の音声命令語のうち少なくとも１つを前記実行されたアプリケーションに対応する音声命令語に変更してよい。
【００８０】
なお、前記制御部は、前記ユーザ好みの音声命令語をディスプレイするためのユーザ命令が入力されると、前記複数の音声命令語のうち少なくとも１つをユーザによって設定されたユーザ好みの音声命令語に変更してよい。
そして、前記変更された音声ガイド情報には変更前の音声ガイド情報に切り替えを行うための音声命令語が含まれてよい。
【００８１】
一方、前記目的を達成するための本発明の一実施形態に係るディスプレイ装置の制御方法は、モーション入力部を介してモーション開始命令が入力されるステップと、前記モーション開始命令が入力されると、前記ディスプレイ装置のモードをユーザモーションによって制御されるモーションタスクモードに切り替え、前記ディスプレイ装置でモーションタスクモードを行うための複数のモーションアイテムを含むモーションガイド情報をディスプレイするステップと、前記アプリケーション実行命令が入力されると、前記複数のモーションアイテムのうち少なくとも１つを前記実行されるアプリケーションに対応するモーションアイテムに変更するステップとを含む。
【００８２】
一方、前記目的を達成するための本発明の一実施形態に係るディスプレイ装置は、ユーザモーションが入力されるモーション入力部と、ディスプレイ部と、前記モーション入力部を介してモーション開始命令が入力されると、前記ディスプレイ装置のモードをユーザモーションによって制御されるモーションタスクモードに切り替え、前記ディスプレイ装置でモーションタスクモードを行うための複数のモーションアイテムを含むモーションガイド情報を前記ディスプレイ部にディスプレイし、アプリケーション実行命令が入力されると、前記複数のモーションアイテムのうち少なくとも１つを前記実行されるアプリケーションに対応するモーションアイテムに変更する制御部とを含む。
【００８３】
一方、本発明の別の実施形態に係るディスプレイ装置の画角設定方法は、カメラの画角を設定することでガイドする画角ガイドＵＩをディスプレイするステップと、画角ガイドＵＩを使用するカメラの画角を設定するステップとを含んでよい。
【００８４】
更に、本発明の方法は、予め設定された速度でカメラの角度を自動的に調整するステップと、前記カメラの角度を調整する間にユーザ命令を受信することを含み、前記カメラの画角を設定することは、カメラの画角をユーザ命令を受けた際の時点におけるカメラの角度に設定してよい。
【００８５】
また、予め設定されたイベントが発生する場合、画角ガイドＵＩをディスプレイすることは、ディスプレイ装置が最初に設置される間、電源がディスプレイ装置に適用される少なくとも１つのイベント、モーションタスクモードがオンになったイベント、ディスプレイ装置の制御メニューのうち画角設定メニューが選択されたイベントのうちの１つであってよい。
【発明の効果】
【００８６】
以上説明したように、本発明によれば、ユーザは多様な音声ＵＩまたはモーションＵＩを用いてより容易かつ便利にディスプレイ装置を制御することができるようになる。
【図面の簡単な説明】
【００８７】
【図１】本発明の多様な実施形態に係るディスプレイ装置の構成を説明するためのブロック図である。
【図２】本発明の多様な実施形態に係るディスプレイ装置の構成を説明するためのブロック図である。
【図３】本発明の多様な実施形態に係るディスプレイ装置の構成を説明するためのブロック図である。
【図４】本発明の一実施形態に係るディスプレイ装置と接続された外部機器に応じて異なる音声ガイド情報を提供する方法を説明するための図である。
【図５】本発明の一実施形態に係るディスプレイ装置と接続された外部機器に応じて異なる音声ガイド情報を提供する方法を説明するための図である。
【図６】本発明の一実施形態に係るディスプレイ装置と接続された外部機器に応じて異なる音声ガイド情報を提供する方法を説明するための図である。
【図７】本発明の一実施形態に係るディスプレイ装置と接続された外部機器に応じて異なる音声ガイド情報を提供する方法を説明するための図である。
【図８】本発明の一実施形態に係るディスプレイ装置と接続された外部機器に応じて異なる音声ガイド情報を提供する方法を説明するためのフローチャートである。
【図９】本発明の一実施形態に係るディスプレイ装置、外部機器、及びディスプレイ装置と外部機器とを中継する中継機器を含むシステムを示す図である。
【図１０】本発明の実施形態に係るディスプレイ装置に具備されたカメラを示す図である。
【図１１】本発明の一実施形態に係るディスプレイ装置に具備されたカメラの画角設定のための画角設定ＵＩを示す図である。
【図１２】本発明の一実施形態に係るディスプレイ装置の画角設定方法を説明するためのフローチャートである。
【図１３】本発明の多様な実施形態に係るユーザモーションを用いたチャネル制御及び音量制御を行う方法を説明するための図である。
【図１４】本発明の多様な実施形態に係るユーザモーションを用いたチャネル制御及び音量制御を行う方法を説明するための図である。
【図１５】本発明の多様な実施形態に係るユーザモーションを用いたチャネル制御及び音量制御を行う方法を説明するための図である。
【図１６】本発明の多様な実施形態に係るユーザモーションを用いたチャネル制御及び音量制御を行う方法を説明するための図である。
【図１７】本発明の多様な実施形態に係るユーザモーションを用いたチャネル制御及び音量制御を行う方法を説明するための図である。
【図１８】本発明の多様な実施形態に係るユーザモーションを用いたチャネル制御及び音量制御を行う方法を説明するための図である。
【図１９】本発明の一実施形態に係るユーザモーションを用いたディスプレイ装置の制御方法を説明するためのフローチャートである。
【図２０】本発明の一実施形態に係るディスプレイ装置に具備された音声入力部を介してユーザ音声が入力される第１音声タスクモードでディスプレイされる第１音声ガイド情報を示す図である。
【図２１】本発明の一実施形態に係るディスプレイ装置と連動する外部機器に具備された音声入力部を介してユーザ音声が入力される第２音声タスクモードでディスプレイされる第２音声ガイド情報を示す図である。
【図２２】本発明の一実施形態に係る音声入力方法に応じて異なる音声タスクモードを提供する方法を提供する方法を説明するためのフローチャートである。
【図２３】本発明の多様な実施形態に係る両手を用いるユーザモーションを用いたディスプレイ装置を制御する方法を説明するための図である。
【図２４】本発明の多様な実施形態に係る両手を用いるユーザモーションを用いたディスプレイ装置を制御する方法を説明するための図である。
【図２５】本発明の多様な実施形態に係る両手を用いるユーザモーションを用いたディスプレイ装置を制御する方法を説明するための図である。
【図２６】本発明の多様な実施形態に係る両手を用いるユーザモーションを用いたディスプレイ装置を制御する方法を説明するための図である。
【図２７】本発明の一実施形態に係る両手を用いるユーザモーションを用いたディスプレイ装置を制御する方法を説明するためのフローチャートである。
【図２８】本発明の一実施形態に係る音声認識エラーが発生した場合、フィードバックメッセージを示す図である。
【図２９】本発明の多様な実施形態に係る音声タスクモード及び音声エラー種類に応じてディスプレイされるフィードバックメッセージを示す図である。
【図３０】本発明の多様な実施形態に係る音声タスクモード及び音声エラー種類に応じてディスプレイされるフィードバックメッセージを示す図である。
【図３１】本発明の多様な実施形態に係る音声タスクモード及び音声エラー種類に応じてディスプレイされるフィードバックメッセージを示す図である。
【図３２】本発明の多様な実施形態に係る音声タスクモード及び音声エラー種類に応じてディスプレイされるフィードバックメッセージを示す図である。
【図３３】本発明の一実施形態に係るディスプレイ装置の制御方法を説明するためのフローチャートである。
【図３４】本発明の一実施形態に係る音声タスクモードで一般的な音声ガイド情報を説明するための図である。
【図３５】本発明の一実施形態に係る音声タスクモードで一般的な音声ガイド情報を説明するための図である。
【図３６】本発明の一実施形態に係る音声タスクモードでアプリケーションに特化した音声ガイド情報を示す図である。
【図３７】本発明の一実施形態に係る音声タスクモードでユーザ好みの音声アイテムが含まれた音声ガイド情報を示す図である。
【図３８】本発明の一実施形態に係るアプリケーションの一部の音声命令語を変更するためのディスプレイ装置の制御方法を説明するためのフローチャートである。
【発明を実施するための形態】
【００８８】
以下に添付図面を参照しながら、本発明の好適な実施形態について詳細に説明する。
図１は、本発明の実施形態に係るディスプレイ装置を示す概略のブロック図である。
【００８９】
図１によると、ディスプレイ装置１００は、音声入力部１１０と、モーション入力部１２０と、保存部１３０、制御部１４０及びディスプレイ部１９３を含む。ディスプレイ装置１００は、外部のネットワークと接続可能なスマートテレビ、セットトップボックス、ＰＣで、またはデジタルテレビ、携帯電話等で実現されてよいが、これらに限定されるものではない。
【００９０】
音声入力部１１０には、ユーザが発話（Ｕｔｔｅｒａｎｃｅ）した音声が入力される。音声入力部１１０は、入力された音声信号を電気信号に変換して制御部１４０に出力する。例えば、音声入力部１１０は、マイクロフォンで実現されてよい。なお、音声入力部１１０は、ディスプレイ装置１００と一体型（Ａｌｌ−ｉｎ−ｏｎｅ）だけでなく、分離された形で実現されてよい。分離された音声入力部１１０は、ディスプレイ装置１００と有線または無線ネットワークを通じて接続されてよい。
【００９１】
モーション入力部１２０は、ユーザのモーションを撮像した映像信号（例えば、連続するフレーム）が受信して制御部１４０に提供する。例えば、モーション入力部１２０は、レンズ及びイメージセンサで構成されるカメラユニットで実現されてよい。なお、モーション入力部１２０は、ディスプレイ装置１００と一体型だけでなく、分離された形で実現されてよい。分離されたモーション入力部１２０は、ディスプレイ装置１００と有線または無線ネットワークを通じて接続されてよい。
【００９２】
保存部１３０は、ディスプレイ装置１００を駆動して制御するための多様なデータ及びプログラムを保存する。保存部１３０は、音声入力部１１０を介して入力された音声を認識するための音声認識モジュール及びモーション入力部１２０を介して入力されたモーションを認識するためのモーション認識モジュールを保存する。
【００９３】
保存部１３０は、音声データベース及びモーションデータベースを含んでよい。音声データベースは、予め設定された音声及び予め設定された音声にマッチングする音声タスクが記録されたデータベースのことを意味する。モーションデータベースとは、予め設定されたモーション及び予め設定されたモーションにマッチングするモーションタスクが記録されたデータバースのことを意味する。
【００９４】
ディスプレイ部１９３は、放送受信部を介して受信された放送信号に対応する映像を表示する。ディスプレイ部１９３は、外部端子入力部を介して入力される映像データ（例えば、動画）を表示することができる。ディスプレイ部１９３は、制御部１４０の制御に応じて音声タスクを行うための音声ガイド情報及びモーションタスクを行うためのモーションガイド情報を表示することができる。
【００９５】
制御部１４０は、音声入力部１１０と、モーション入力部１２０、保存部１３０及びディスプレイ部１９３を制御する。制御部１４０は、ＣＰＵ（Ｃｅｎｔｒａｌ  Ｐｒｏｃｅｓｓｉｎｇ  Ｕｎｉｔ）及びディスプレイ装置１００を制御するためのモジュール及びデータを保存するＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を含んでよい。
【００９６】
音声入力部１１０を介して音声が入力される場合、制御部１４０は音声認識モジュール及び音声データベースを用いて音声を認識する。音声認識（Ｖｏｉｃｅ  Ｒｅｃｏｇｎｉｔｉｏｎ）は入力される音声の形態によって、それぞれの単語を区分して発話した音声を認識する孤立単語認識（Ｉｓｏｌａｔｅｄ  Ｗｏｒｄ  Ｒｅｃｏｇｎｉｔｉｏｎ）連続単語、連続文章及び会話体音声を認識する連続音声認識（Ｃｏｎｔｉｎｕｏｕｓ  ｓｐｅｅｃｈ  Ｒｅｃｏｇｎｉｔｉｏｎ）及び孤立単語認識と連続音声認識との中間形態で、予め定められたキーワードを検出して認識するキーワード検出（Ｋｅｙｗｏｒｄ  Ｓｐｏｔｔｉｎｇ）で区分されてよい。
【００９７】
ユーザ音声が入力される場合、制御部１４０は入力された音声信号内でユーザが発話した音声の開始と終了を検出して音声区間を判断する。制御部１４０は、入力された音声信号のエネルギーを計算し、計算されたエネルギーに応じて音声信号のエネルギーレベルを分類し、動的プログラミングを通じて音声区間を検出することができる。制御部１４０は、検出された音声区間内の音声信号で音響モデル（Ａｃｏｕｓｔｉｃ  Ｍｏｄｅｌ）に基づいて、音声の最小単位である音素を検出して音素データを生成する。制御部１４０は、生成された音素データにＨＭＭ（Ｈｉｄｄｅｎ  Ｍａｒｋｏｖ  Ｍｏｄｅｌ）確率モデルを適用してテキスト情報を生成する。しかし、上述のように、ユーザの音声を認識する方法は一実施形態に過ぎず、他の方法を用いてユーザ音声を認識することができる。それにより、制御部１４０は、音声信号の中に含まれたユーザの音声を認識することができる。
【００９８】
モーション入力部１２０を介してモーションが入力される場合、制御部１４０はモーション検知モジュール及びモーションデータベースを用いてモーションを認識する。モーション認識（Ｍｏｔｉｏｎ  Ｒｅｃｏｇｎｉｔｉｏｎ）は、モーション入力部１２０を介して入力される映像（例えば、連続するフレーム）を周囲の背景とユーザモーションの対象のオブジェクト（例えば、ユーザの手）領域に分離し、連続するオブジェクトの動きを認識することができる。ユーザモーションが入力される場合、制御部１４０は受信された映像をフレーム単位で保存し、保存されたフレームを用いてオブジェクトを検知する。制御部１４０は、フレームに含まれたオブジェクトの形、色、動きのうち、少なくともいずれか１つを検知してオブジェクトを検出する。制御部１４０は、複数のフレームに含まれたそれぞれのオブジェクトの位置やそれぞれのオブジェクトの形を用いて検出されたオブジェクトの動きを追跡することができる。
【００９９】
制御部１４０は、追跡されたオブジェクトの動きに応じてユーザモーションを判断する。例えば、制御部１４０は、オブジェクトの形の変化、速度、位置、方向のうち、少なくともいずれか１つを用いてユーザのモーションを判断する。ユーザのモーションは、手を握るモーションであるグラブ（Ｇｒａｂ）、表示されたカーソルを手で移動させるモーションであるポインティング移動（Ｐｏｉｎｔｉｎｇ  ｍｏｖｅ）、手を一定速度以上で一方向に動かすモーションであるスラップ（Ｓｌａｐ）、手を左／右または上／下に振るモーションであるシェイク（Ｓｈａｋｅ）及び手を回転させるモーションである回転（ｒｏｔａｔｅ）を含む。上述の実施形態にその他のモーションにも本発明の技術的思想が適用されてよい。例えば、握られた手を開くスプレッド（Ｓｐｒｅａｄ）モーション等が更に含まれてよく、一定時間の間手が固定された位置にある場合にも、特定モーションとして判断することができる。
【０１００】
制御部１４０は、ユーザのモーションがポインティング移動であるか、スラップであるかを判断するために、オブジェクトが一定時間（例えば、８００ｍｓ）内に一定領域（例えば、４０ｃｍ×４０ｃｍの四角）から外れているかを判断する。オブジェクトが一定時間内に一定領域から外れていない場合、制御部１４０はユーザのモーションをポインティング移動と判断してよい。オブジェクトが一定時間内に決定された領域から外れている場合、制御部１４０はユーザのモーションをスラップと判断してよい。別の一例として、オブジェクトの速度が予め設定された速度（例えば、３０ｃｍ／ｓ）以下であると判断された場合、制御部１４０はユーザのモーションをポインティング移動と判断する。オブジェクトの速度が予め設定された速度超過であると判断される場合、制御部１４０はユーザのモーションをスラップと判断する。
【０１０１】
制御部１４０は、認識された音声及びモーションを用いて、ディスプレイ装置１００のタスク（ｔａｓｋ）を行う。ディスプレイ装置１００のタスクは、電源制御、チャネル変更、音量調節、コンテンツ（例えば、動画や音楽、写真等）の再生、画面に表示されるＧＵＩ（Ｇｒａｐｈｉｃａｌ  Ｕｓｅｒ  Ｉｎｔｅｒｆａｃｅ）の選択またはインターネットサービス（例えば、検索、ブラウジング等）等のように、ディスプレイ装置１００によって実行可能な機能の少なくとも１つを含む。
制御部１４０が、ディスプレイ装置１００を制御する具体的な方法については、詳細に後述する。
【０１０２】
図２は、本発明の別の実施形態に係るディスプレイ装置１００の構成を示すブロック図を示す図である。図２によると、ディスプレイ装置１００は、音声入力部１１０と、モーション入力部１２０と、保存部１３０と、制御部１４０と、放送受信部１５０、外部端子入力部１６０と、リモコン信号受信部１７０と、ネットワークインターフェース部１８０及び出力部１９０を含む。図２に示すディスプレイ装置１００は、セットトップボックス（Ｓｅｔ−ｔｏｐ  ｂｏｘ）、スマートテレビ等で実現されてよい。
【０１０３】
一方、図２に示された音声入力部１１０と、モーション入力部１２０と、保存部１３０及び制御部１４０に対する説明は、図１において説明した音声入力部１１０と、モーション入力部１２０と、保存部１３０及び制御部１４０に対する説明と同じであるため、詳細な説明は省略する。
【０１０４】
放送受信部１５０は、有／無線で外部から放送信号を受信する。放送信号は、映像（Ｖｉｄｅｏ）、オーディオ（Ａｕｄｉｏ）及び付加データ（例えば、ＥＰＧ、メタデータ等）を含む。放送受信部１５０は、地上波放送、ケーブル放送、衛星放送、インターネット放送等のような多様な種類の放送信号を受信することができる。
【０１０５】
外部端子入力部１６０は、ディスプレイ装置１００の外部から映像データ（例えば、動画や写真等）、オーディオデータ（例えば、音楽等）等を受信する。外部端子入力部１６０は、ＨＤＭＩ（登録商標）入力端子（Ｈｉｇｈ−Ｄｅｆｉｎｉｔｉｏｎ  Ｍｕｌｔｉｍｅｄｉａ  Ｉｎｔｅｒｆａｃｅ  Ｉｎｐｕｔ）、コンポーネント入力端子、ＰＣ入力端子、またはＵＳＢ入力端子の少なくとも一つを含んでよい。リモコン信号受信部１７０は、外部のリモコンから入力されるリモコン信号を受信する。
【０１０６】
リモコン信号受信部１７０は、ディスプレイ装置１００が音声タスクモードかモーションタスクモードでも、リモコン信号を受信することができる。リモコン信号受信部１７０は、有線または無線通信インターフェースで実現可能であり、片方向または双方向通信インターフェースで実現可能である。
【０１０７】
ネットワークインターフェース部１８０は、制御部１４０の制御によってディスプレイ装置１００と外部装置（例えば、サーバや他のディスプレイ装置等）を接続することができる。制御部１４０は、ネットワークインターフェース部１８０を介して接続された外部装置からアプリケーションをダウンロードしたり、ウェブブラウジング等インターネットサービスがユーザに提供されるように制御することができ、外部装置から映像データ、オーディオデータ、テキストデータ等を受信するように制御することができる。ネットワークインターフェース部１８０は、有／無線通信インターフェースで実現可能であり、多様な種類の双方向通信インターフェースで実現可能である。例えば、イーサネット（登録商標）（Ｅｔｈｅｒｎｅｔ（登録商標））、無線ＬＡＮ１８２及びブルートゥース（Ｂｌｕｅｔｏｏｔｈ（登録商標））の少なくとも一つを提供することができる。
【０１０８】
出力部１９０は、放送受信部１５０を介して受信される外部の放送信号、または外部端子入力部１６０で入力されるデータ、または保存部１３０に保存されたデータまたはネットワークインターフェース１８０を介して受信されるデータを外部のディスプレイ装置（例えば、モニタ、テレビ、スピーカ等）に出力する。なお、ディスプレイ装置１００がディスプレイやスピーカ等を備えている場合には、ディスプレイ装置１００のディスプレイやスピーカを介して出力することができる。
【０１０９】
図３は、本発明の更に別の実施形態に係るディスプレイ装置１００のブロック図を示す図である。図３に示すように、ディスプレイ装置１００は、音声入力部１１０と、モーション入力部１２０と、保存部１３０と、制御部１４０と、放送受信部１５０と、外部端子入力部１６０と、リモコン信号受信部１７０と、ネットワークインターフェース部１８０と、ディスプレイ部１９３及びオーディオ出力部１９６を含む。このとき、ディスプレイ装置１００は、デジタルテレビであってよいが、これに限定されるものではない。
【０１１０】
一方、図３において音声入力部１１０と、モーション入力部１２０と、保存部１３０と、制御部１４０と、放送受信部１５０と、外部端子入力部１６０と、リモコン信号受信部１７０、ネットワークインターフェース部１８０及びディスプレイ部１９３に対する説明は、図１及び図２で同じ参照番号を有する構成に対する説明と同様であるため、詳細な説明は省略する。
【０１１１】
オーディオ出力部１９６は、制御部１４０の制御によって放送信号に対応する音響を出力したり、ネットワークインターフェース部１８０を介して受信される音響を出力する。オーディオ出力部１９６は、スピーカ１９６ａ、ヘッドホン出力端子１９６ｂまたはＳ／ＰＤＩＦ出力端子１６３ｃの少なくともいずれか一つを含んでよい。
【０１１２】
一方、保存部１３０は、図３に示すように、電源制御モジュール１３０ａ、チャネル制御モジュール１３０ｂ、音量制御モジュール１３０ｃ、外部入力制御モジュール１３０ｄ、画面制御モジュール１３０ｅ、オーディオ制御モジュール１３０ｆ、インターネット制御モジュール１３０ｇ、アプリケーションモジュール１３０ｈ、検索制御モジュール１３０ｉ、ＵＩ処理モジュール１３０ｊ、音声認識モジュール１３０ｋ、モーション認識モジュール１３０ｌ、音声データベース１３０ｍ及びモーションデータベース１３０ｎを含む。これらのモジュール（１３０ａないし１３０ｎ）は、それぞれ、電源制御機能、チャネル制御機能、音量制御機能、外部入力制御機能、画面制御機能、オーディオ制御機能、インターネット制御機能、アプリケーション実行機能、検索制御機能、ＵＩ処理機能を行うためにソフトウェアで実現されてよい。制御部１４０は、保存部１３０に保存されたこれらのソフトウェアを実行させて当該機能を行うことができる。
【０１１３】
上述のように、各制御モジュール（１３０ａないし１３０ｎ）を保存部１３０に保存されているソフトウェアで実現されてよいが、それぞれ別個のハードウェアを通じて実現されてよい。
以下では、図を参照して、本発明の多様な実施形態について説明する。
特に、図４ないし図８を参照し、接続された外部機器に応じて異なる音声ガイド情報またはモーションガイド情報を提供する実施形態について説明する。
【０１１４】
制御部１４０は、音声タスクモードでディスプレイ装置１００を制御するための音声命令語をガイドする第１音声ガイド情報をディスプレイ部１９３にディスプレイする。このとき、音声タスクモードは、音声入力部１１０を介して音声開始命令が入力されると開始され、その後、入力された音声命令語によってディスプレイ装置１００が制御されるモードである。なお、音声タスクモードは、音声タスクモードは、音声開始命令なしに入力された音声命令語によってディスプレイ装置１００が制御されるモードであってよい。この場合、音声開始命令の代わりに、音声タスクモードを開始するための別の種類のユーザ命令を利用することができる。別の種類のユーザ命令は、リモコンの特定ボタン入力、ディスプレイ装置１００の特定ボタン入力、ユーザの特定モーション等を含んでよい。
【０１１５】
そして、ディスプレイ装置１００に接続された外部機器を制御するためのユーザ命令が入力されると、制御部１４０は、第１音声ガイド情報を外部機器を制御するためのユーザ音声がガイドする第２音声ガイド情報に変更してディスプレイするようにディスプレイ部１９３を制御する。特に、複数の音声ガイド情報が保存部１３０に保存されており、制御部１４０は保存部１３０に保存された複数の音声ガイド情報のうち外部機器に対応する第２音声ガイド情報を検出して読み取り、読み取られた第２音声ガイド情報をディスプレイ部１９３にディスプレイすることができる。複数の音声ガイド情報は、それぞれディスプレイ装置１００及びディスプレイ装置１００に接続された複数の外部機器に対応する。仮に、ユーザが制御しようとする外部機器に対する音声ガイド情報が保存部１３０に保存されていない場合、外部端子入力部１６０、ネットワークインターフェース部１８０を介して受信することができる。
【０１１６】
このとき、第１音声ガイド情報と第２音声ガイド情報とは、相互異なる音声命令語を含んでよい。例えば、ディスプレイ装置１００がテレビの場合、第１音声ガイド情報には、電源制御に関する音声命令語、外部機器実行に関する音声命令語、チャネル設定に関する音声命令語、音量設定に関する音声命令語等が含まれてよい。そして、外部機器がＤＶＤプレーヤ及びＢＤプレーヤのうちの一方である場合、第２音声ガイド情報にはテレビ電源制御に関する音声命令語、外部機器電源制御に関する音声命令語、外部機器の機能実行に関する音声命令語が含まれてよい。
【０１１７】
特に、第１音声ガイド情報がディスプレイされた場合、音声入力部１１０を介して第１音声ガイド情報に含まれた音声命令語が入力されると、制御部１４０は入力された音声命令語に応じてディスプレイ装置１００を制御する。
【０１１８】
しかし、第２音声ガイド情報がディスプレイされた場合、音声入力部１１０を介して第２音声ガイド情報に含まれた音声命令語が入力されると、制御部１３０は入力された音声命令語に対応する制御信号を生成し、生成された制御信号を外部端子入力部１６０を介して外部機器に伝送することができる。
【０１１９】
ディスプレイ装置１００と外部機器との通信のために設けられた中継機器とが存在する場合、音声入力部１１０を介して第２音声ガイド情報に含まれた音声命令語が入力されると、制御部１４０は入力された音声命令語に対応する制御信号を生成し、生成された制御信号を中継機器を介して外部機器に伝送することができる。ここで、中継機器とディスプレイ装置１００とはネットワークインターフェース部１８０を介して通信してよく、中継機器と外部機器とは無線通信インターフェースを介して通信してよい。この場合、生成された制御信号は、ブルートゥース通信によってディスプレイ装置１００で中継機器に伝送されてよく、中継機器は伝送された制御信号をＩＲ（Ｉｎｆｒａｒｅｄ）信号に変換して外部機器に制御信号を伝送するように実現することができる。中継機器と外部機器とが通信するのに使用される無線通信インターフェースは、ＩＲ通信インターフェースの他に、ＲＦ通信インターフェースを含んでよく、ＲＦ（Ｒａｄｉｏ  Ｆｒｅｑｕｅｎｃｙ）通信インターフェースは、ＮＦＣ（ｎｅａｒ  ｆｉｅｌｄ  ｃｏｍｍｕｎｉｃａｔｉｏｎ）通信インターフェース、ＺｉｇＢｅｅ通信インターフェース及びブルートゥース通信インターフェース等が使用されてよい。中継機器とディスプレイ装置１００との間、インターフェースと中継機器と外部機器との間のインターフェースは、上述のインターフェースに限定されず、有／無線通信インターフェースで実現可能であり、多様な双方向通信インターフェースで実現可能である。特に、中継機器と外部機器との間の通信のために、外部機器のリモートコントロールに使用する既存のインターフェースを使用する場合、本発明のディスプレイ装置１００を介して入力される音声命令語やユーザのモーションを通じて外部機器を制御するように実現するうえで容易である。
接続された外部機器によって、音声ガイド情報を提供する具体的な実施形態については、図４ないし図７を参照して詳細に説明する。
【０１２０】
制御部１４０は、放送受信部１５０を介して外部の放送局から送出される放送信号を受信し、受信された放送信号に対する信号処理を行う。そして、図４に示すように、制御部１４０は、信号処理された放送映像をディスプレイ部１９３にディスプレイし、信号処理された放送信号の音響をオーディオ出力部１９６を介して出力する。
【０１２１】
そして、音声入力部１１０を介して音声開始命令が入力されると、制御部１４０は音声開始命令を認識して音声タスクモードに切り替える。このとき、音声開始命令は、音声タスクモードを開始するためのユーザ命令であり、音声タスクモードはディスプレイ装置１００が音声入力部１１０に入力された音声命令語によって制御されるモードである。上述のように、音声開始命令の代わりに、音声タスクモードを開始するための別の種類のユーザ命令を利用することができる。別の種類のユーザ命令は、リモコンの特定ボタン入力、ディスプレイ装置１００の特定ボタン入力、ユーザの特定モーション等を含んでよい。
【０１２２】
そして、音声タスクモードに切り替わると、制御部１４０は、図５に示すように、音声タスクモードを行うための第１音声ガイド情報５００をディスプレイする。このとき、第１音声ガイド情報５００は、放送映像がディスプレイされる画面の下段にディスプレイされる。なお、第１音声ガイド情報５００は、現在のディスプレイ装置のモードが音声タスクモードであることを報知するアイコン５１０及びユーザに音声命令語をガイドする複数の音声命令語５２１ないし５２６、５３０が含まれる。音声ガイド情報のディスプレイ位置は変更可能であり、音声ガイド情報内のアイコン５１０及び複数の音声命令語５２１ないし５２６、５３０がディスプレイされる位置は変更可能である。
【０１２３】
複数の音声命令語には、電源オフ音声命令語５２１、外部入力音声命令語５２２、チャネルショートカット音声命令語５２３、チャネルアップ／ダウン（ＵＰ／ＤＯＷＮ）音声命令語５２４、音量アンプ／ダウン（ＵＰ／ＤＯＷＮ）音声命令語５２５、消音音声命令語５２６及びＭＯＲＥ音声命令語５３０が含まれる。ＭＯＲＥ音声命令語５３０は、ディスプレイされた音声命令語以外の音声命令語を更に見るための命令語である。しかし、上述のような第１音声ガイド情報５００に含まれた音声命令語は一実施形態に過ぎず、他の音声命令語（例えば、チャネルリスト音声命令語等）が含まれてよい。
【０１２４】
第１音声ガイド情報５００がディスプレイされた状態で、音声入力部１１０を介して“Ｕｎｉｖｅｒｓａｌ  Ｃｏｎｔｒｏｌ”という音声命令語が入力されると、制御部１４０は図６に示すような、制御しようとする外部機器を選択することができる第３音声ガイド情報６００が表示される。このとき、第３音声ガイド情報６００には、現在のディスプレイ装置のモードが音声タスクモードであることを報知するアイコン６１０及びユーザの音声をガイドする複数の音声命令語６２１ないし６２５、６３０が含まれる。複数の音声命令語には、Ｗａｔｃｈ  ＴＶ音声命令語６２１、Ｗａｔｃｈ  Ｖｉｄｅｏ音声命令語６２２、ＴＶ音声命令語６２３、セットトップボックス（ＳＴＢ）音声命令語６２４、ブルーレイディスクプレーヤ（ＢＤ）音声命令語６２５及びＭＯＲＥ音声命令語６３０が含まれる。しかし、上述のような第３音声ガイド情報６００に含まれた音声命令語は、一実施形態に過ぎず、他の音声命令語（例えば、ＤＶＤプレーヤ音声命令語、ＵＳＢ音声命令語等）を含んでよい。
【０１２５】
第３音声ガイド情報がディスプレイされた状態で、音声入力部１１０を介して“ＢＤ”というユーザ音声が入力されると、制御部１４０は、ユーザ音声を用いてＢＤを制御することができる。そして、制御部１４０は、保存部１３０に保存された複数の音声ガイド情報のうち、ＢＤを制御するための音声ガイド情報を検索して図７に示すようにディスプレイする。
【０１２６】
すなわち、制御部１４０は、放送受信機能を担う場合、図５に示すような第１音声ガイド情報５００をディスプレイするが、制御しようとする外部機器が選択されると、図７に示すような第２音声ガイド情報７００に変更してディスプレイする。このとき、第２音声ガイド情報７００には、現在のディスプレイ装置のモードが音声タスクモードであることを報知するアイコン７１０及びユーザの音声をガイドする複数の音声命令語７２１ないし７２６、７３０が含まれる。
【０１２７】
複数の音声命令語には、電源オフ音声命令語７２１、外部入力音声命令語７２２、再生（一時停止）音声命令語７２３、前のファイル音声命令語７２４、次のファイル音声命令語７２５、音量アンプ／ダウン音声命令語７２６が含まれる。しかし、上述のような第２音声ガイド情報７００に含まれた音声命令語は一実施形態に過ぎず、他の音声命令語（例えば、早送り音声命令語、巻き戻し音声命令語等）が含まれてよい。
【０１２８】
よって、上述のように、選択された外部機器の種類に応じて、異なる音声ガイド情報を提供することにより、ユーザは音声認識を用いてより便利かつ直観的に外部機器を制御することができるようになる。
【０１２９】
一方、上述の実施形態では、音声命令語を通じて制御しようとする外部機器としてＢＤを選択しているが、それは一実施形態に過ぎず、リモコン等を用いてＢＤを選択することができる。なお、上述の実施形態では、選択された外部機器の種類に応じて音声タスクモードで音声ガイド情報が異なるように提供されるものとして説明しているが、それは一実施形態に過ぎず、選択された外部機器の種類に応じてモーションタスクモードでモーションガイド情報が異なるように提供されてよい。
以下では、図８を参照して本発明の一実施形態に係るディスプレイ装置の制御方法について説明する。
【０１３０】
まず、ディスプレイ装置１００は、音声タスクモードに切り替える（Ｓ８１０）。具体的に、ディスプレイ装置１００の音声入力部１１０を介して音声ガイド命令が入力されると、ディスプレイ装置１００はディスプレイ装置１００の制御モードをユーザ音声によってディスプレイ装置１００が制御される音声タスクモードに切り替える。
【０１３１】
音声タスクモードに切り替わると、ディスプレイ装置１００は第１音声ガイド情報をディスプレイする（Ｓ８２０）。このとき、ディスプレイ装置１００が放送受信機能を担う場合、第１音声ガイド情報は放送受信機能を制御するための音声命令語が含まれる。例えば、第１音声ガイド情報にはチャネル設定のための音声命令語が含まれてよい。
【０１３２】
そして、ディスプレイ装置１００は、外部機器を制御しようとするユーザ命令が入力されたか否かを判断する（Ｓ８３０）。このとき、ユーザ命令は、図６を参照して説明したように、ユーザ音声命令であってよく、ディスプレイ装置１００と連動するリモコンに備えられる外部入力変更ボタンによる命令であってよい。
【０１３３】
外部機器を制御しようとするユーザ命令が入力されると（Ｓ８３０−Ｙ）、ディスプレイ装置１００は第１音声ガイド情報を第２音声ガイド情報に変更してディスプレイする（Ｓ８４０）。このとき、外部機器の種類を選択することができるが、外部機器がＢＤ（Ｂｌｕｅ−ｒａｙ）プレーヤまたはＤＶＤプレーヤの場合、第２音声ガイド情報にはチャネル設定のための音声命令語が消え、映像再生のための音声命令語（例えば、再生停止のための音声命令語、次のファイル再生のための音声命令語等）が含まれてよい。
【０１３４】
上述のように、選択された外部機器の種類に応じて音声ガイド情報が異なるようにディスプレイされることにより、ユーザは音声認識を用いて接続された外部機器をより便利かつ直観的に制御することができるようになる。
【０１３５】
一方、上述の実施形態においては、ディスプレイ装置１００が外部端子入力部１６０を介して直接外部機器と接続されるものとして説明したが、それは一実施形態に過ぎず、ディスプレイ装置１００がネットワークインターフェース部１８０を介して接続された中継機器を用いて外部機器と接続される実施形態も本発明の技術的な思想が適用され、外部端子入力部１６０と中継機器を全て用いて、ディスプレイ装置１００と外部機器とが接続される実施形態も本発明の技術的な思想が適用される。具体的に、図９に示すようなシステム１０は、ディスプレイ装置１００、中継機器２００及び外部機器３００を含む。このとき、ディスプレイ装置１００は、中継機器２００を介して外部機器３００と接続される。
【０１３６】
具体的に、音声入力部１１０を介して第２音声ガイド情報に含まれた音声命令語に対応するユーザ音声が入力されると、ディスプレイ装置１００は入力された音声命令語に対応する制御信号を生成する。そして、ディスプレイ装置１００は、ネットワークインターフェース部１８０のブルートゥース通信を用いて中継機器２００に制御信号を伝送する。制御信号が伝送されると、中継機器２００は受信された制御信号をＩＲ信号の形態に変換して外部機器３００に伝送する。外部機器３００がＩＲ信号を受信すると、外部機器３００はＩＲ信号を復調し、ディスプレイ装置１００に入力された音声命令語に応じて制御される。
【０１３７】
中継機器とディスプレイ装置１００との間のインターフェースと、中継機器と外部機器との間のインターフェースとは、上述のインターフェースに限定されずに、有／無線通信インターフェースで実現可能であり、多様な種類の双方向通信インターフェースで実現可能である。
以下では、図１０ないし図１２を参照し、モーション入力部１２０の画角を設定する画角設定ＵＩに対する実施形態について説明する。
【０１３８】
特に、本実施形態では、モーション入力部１２０がカメラであってよい。このとき、カメラは、図１０に示すように、ディスプレイ装置１００のディスプレイ部１９３を囲むベゼル（ｂｅｚｅｌ）中の上端のベゼルに突出されるように配置されてよい。しかし、それは一実施形態に過ぎず、カメラは上端のベゼルに突出されないように配置されてよく、カメラの位置に対応するベゼルの一部は透明な材質で構成されたり、孔が形成されるように実現されてよい。なお、カメラはベゼルの上端だけでなく、４面のいずれにも配置されてよい。
【０１３９】
予め設定されたイベントが発生されると、制御部１４０はディスプレイ画面の一領域にカメラの画角をガイドする画角ガイドＵＩをディスプレイする。そして、制御部１４０は、画角ガイドＵＩを用いて入力されたユーザ命令に応じてカメラの画角を設定することができる。
【０１４０】
このとき、予め設定されたイベントは、ディスプレイ装置１００の最初の設置時にディスプレイ装置１００に電源が印加されるイベント、モーションタスクモードがオン (ON) になったイベント、ディスプレイ装置１００の制御メニューのうち画角設定メニューが選択されたイベントのうちの１つであってよい。一方、予め設定されたイベントが発生すると、制御部１４０は、図１１に示すように、ディスプレイ画面の中央領域に画角ガイドＵＩ１１００をディスプレイする。このとき、画角ガイドＵＩ１１００は、ディスプレイ画面全体にディスプレイされるものではなく、ディスプレイ画面の一領域（例えば、中央領域）にディスプレイされる。よって、ユーザは現在視聴しているコンテンツ映像を引き続き視聴することができるようになる。勿論、画角ガイドＵＩ１１００が画面全領域にディスプレイされるように実現することができる。
【０１４１】
そして、画角ガイドＵＩ１１００には、カメラによって撮影されている映像をディスプレイするカメラ映像表示画面１１１０を含む。よって、ユーザは現在カメラが撮影している映像を確認してカメラの現在の画角をガイドされることができる。
【０１４２】
このとき、画角ガイドＵＩ１１００は、カメラ映像表示画面１１１０と好適なユーザの位置をガイドするガイドラインを含んでよい。なお、画角ガイドＵＩ１１００は、カメラ映像表示画面１１１０とカメラ映像表示画面１１１０上のユーザの位置による好適なカメラの画角をガイドするガイドラインを含んでよい。
【０１４３】
画角ガイドＵＩ１１００にカメラ映像表示画面１１１０と好適なカメラの画角をガイドするガイドラインが含まれる場合、カメラの画角はユーザによって手動で調整されてよく、自動で調節されるように実現されてよい。なお、この場合、カメラ映像表示画面１１１０内のユーザの位置が変更されることにより、好適なカメラの画角をガイドするガイドラインの位置が変更されてよい。
【０１４４】
ここで、カメラの画角は、実際のカメラの位置や角度を調整することで調整することができる。なお、実際のカメラの位置や角度は調整されていない状態で撮影された映像のうち、カメラ映像表示画面１１１０で表示される映像を選択することを通じて調整することができ、この場合、カメラ映像表示画面１１１０は撮影された映像のうちの一部である。カメラの画角が調整される間、画角ガイドＵＩ１１００を介してユーザ命令が入力されると、制御部１４０はユーザ命令が入力された時点におけるカメラ映像表示画面１１１０の映像をユーザのモーションを認識するのに使用する映像に設定することができる。
【０１４５】
特に、ユーザがリモコンに具備された方向ボタンを用いてカメラの画角を調整する場合、リモコンは選択された方向ボタン情報の含まれた信号を生成してディスプレイ装置１００に伝送し、制御部１４０はリモコンから伝送された信号に応じてカメラを調整することができる。
【０１４６】
上述のような画角ガイドＵＩ１１００は、ユーザのモーションをより正確に認識するための映像を生成するのに利用することができる。図１２は、本発明の一実施形態に係るディスプレイ装置１００のカメラ画角設定方法を説明するためのフローチャートである。
【０１４７】
まず、ディスプレイ装置１００は、予め設定されたイベントが発生したか否かを判断する（Ｓ１２１０）。このとき、予め設定されたイベントは、ディスプレイ装置１００の最初の設置時にディスプレイ装置１００に電源が印加されるイベント、モーションタスクモードがオン（ＯＮ）になったイベント、ディスプレイ装置１００の制御メニューのうち画角設定メニューが選択されたイベントのうちの１つであってよい。すなわち、ユーザモーションでディスプレイ装置１００を制御するためのモーションタスクモードにシフトするとしても、画角設定ＵＩはディスプレイされずに、予め設定されたイベントが発生した場合にのみ、画角設定ＵＩをディスプレイすることができる。
【０１４８】
予め設定されたイベントが発生すると（Ｓ１２１０−Ｙ）、ディスプレイ装置１００はカメラ１２０の画角を設定するための画角ガイドＵＩをディスプレイする（Ｓ１２２０）。このとき、画角ガイドＵＩ１１００は、図１１に示すように、ディスプレイ画面の中央領域にディスプレイされてよく、現在のカメラによって撮影される映像をディスプレイする画面１１１０を含んでよい。それにより、ユーザは現在のディスプレイ装置１００から出力されるコンテンツ映像を視聴しつつ、カメラ画角を設定することができるようになる。勿論、画角ガイドＵＩ１１００が画面の全領域にディスプレイされるように実現することができる。
【０１４９】
そして、ディスプレイ装置１００は、ディスプレイされた画角ガイドＵＩを用いてカメラの画角を設定することができる（Ｓ１２３０）。このとき、画角ガイドＵＩ１１００にカメラ映像表示画面１１１０と好適なカメラの画角をガイドするガイドラインとが含まれる場合、カメラの画角はユーザによって手動で調整されてよく、自動で調整されるように実現することができる。なお、この場合、カメラ映像表示画面１１１０内のユーザの位置が変更されることにより、好適なカメラの画角をガイドするガイドラインの位置が変更されてよい。
【０１５０】
ここで、カメラの画角は実際のカメラの位置や角度を調整することを通じて調整することができる。なお、実際のカメラの位置や角度は調整しない状態で撮影された映像のうち、カメラ映像表示画面１１１０で表示される映像を選択することを通じて調整することができ、この場合、カメラ映像表示画面１１１０は撮影された映像の一部である。
【０１５１】
カメラの画角が調整される間、画角ガイドＵＩ１１００を介してユーザ命令が入力されると、ディスプレイ装置１００はユーザ命令が入力された時点におけるカメラ映像表示画面１１１０の映像をユーザのモーションを認識するのに使用する映像に設定することができる。
【０１５２】
特に、ユーザがリモコンに具備された方向ボタンを用いてカメラの画角を調整する場合、リモコンは選択された方向ボタン情報の含まれた信号を生成してディスプレイ装置１００に伝送し、ディスプレイ装置１００はリモコンから伝送された信号に応じてカメラを調整することができる。
【０１５３】
それにより、ユーザは画角ガイドＵＩを用いてより容易にカメラの画角を設定することができるようになる。なお、モーションタスクモードに切り替わる度に、画角を設定するのではなく、予め設定されたイベントが発生する度に、カメラの画角を設定することにより、ユーザはモーションタスクモードに切り替わる度にカメラの画角を設定しなければならない手間を省くことができるようになる。
【０１５４】
以下では、図１３ないし図１９を参照し、ユーザモーションによってディスプレイ装置１００を制御するためのモーションＵＩに対する実施形態について説明する。
【０１５５】
モーション入力部１２０を介してモーション開始命令が入力されると、制御部１４０はディスプレイ装置１００のモードをモーションタスクモードに切り替える。このとき、モーション開始命令は、ユーザの片手を左右に複数回振るモーションであってよい。そして、モーションタスクモードは、ディスプレイ装置１００をモーション入力部１２０を介して入力されたユーザのモーションによって制御されるモードである。モーション開始命令の代わりに、音声タスクモードを開始するための別の種類のユーザ命令を利用することができる。別の種類のユーザ命令は、リモコンの特定ボタン入力、ディスプレイ装置１００の特定ボタン入力、ユーザの特定音声等を含むことができる。
【０１５６】
モーションタスクモードに切り替わると、制御部１４０はモーションタスクモードを行うためのアイコン及びポインタをディスプレイ部１９３にディスプレイする。このとき、ディスプレイされるアイコンは、ディスプレイ装置１００の機能を制御するためのアイコンである。そして、アイコンは、ディスプレイ画面の左側領域及び右側領域にディスプレイされてよい。なお、ポインタは、ディスプレイ画面の中央領域にディスプレイされてよい。
【０１５７】
特に、モーションタスクモードに切り替え時に放送信号が出力される場合、制御部１４０は音量調整、チャネル変更のためのアイコンをディスプレイする。各アイコンは、ディスプレイ画面の左側領域及び右側領域にディスプレイされてよい。音量調節アイコンは、音量アップアイコンと音量ダウンアイコンとを含み、チャネル変更アイコンは、チャネルアップアイコンとチャネルダウンアイコンとを含む。なお、ポインタがディスプレイ画面の特定位置（例えば、画面の中央領域）にディスプレイされてよい。
【０１５８】
そして、制御部１４０は、モーション入力部１２０を介して入力されたユーザの第１モーションに沿ってポインタを移動させる。このとき、ユーザの第１モーションはユーザの手が開かれた状態のスプレッド（ｓｐｒｅａｄ）モーションであってよい。すなわち、モーション入力部１２０を介してユーザの手が開かれた状態で移動されるモーションが入力されると、制御部１４０はユーザの手の移動に沿ってポインタを移動させることができる。
【０１５９】
そして、ポインタがアイコンに位置した状態で、モーション入力部１２０を介してユーザの第２モーションが入力されると、制御部１４０はアイコンに対応する機能を実行する。このとき、ユーザの第２モーションは手を握るグラブ（ｇｒａｂ）モーションであってよい。例えば、ポインタが音量アップアイコンに位置した状態で、モーション入力部１２０を介してユーザのグラブモーションが入力されると、制御部１４０は現在の音量レベルから音量レベルを“１”増加させることができる。
【０１６０】
ここで、制御部１４０は、ユーザの第２モーションが入力される間にポインタの位置が動かずに固定されるように制御する。それは、ユーザの第２モーションを入力する際、ユーザの手が動いたと判断され、ポインタの位置が変更されると、ユーザはディスプレイ装置１００を正確に制御することができないためである。
【０１６１】
なお、ポインタがアイコンに位置しつつ第２モーションの入力が保持されると、制御部１４０はポインタの位置するアイコンの機能を連続的に実行することができる。例えば、ポインタが音量ダウンアイコンに位置しつつ第２モーションの入力が保持されると、制御部１４０は音量レベルを引き続き減少させることができる。このとき、第２モーションの入力が引き続き保持されると、制御部１４０はポインタの位置するアイコンの機能をより迅速に実行することができる。例えば、ポインタが音量ダウンアイコンに位置しつつ第２モーションの入力が保持されると、制御部１４０は音量レベルを次第に速く減少させることができる。
【０１６２】
そして、モーション入力部１２０を介してモーション終了モーションが入力されてよく、モーション終了モーションが入力されると、制御部１４０は、ディスプレイされた複数のアイコン及びポインタをディスプレイ部１１０のディスプレイ画面から除去することができる。このとき、モーション終了モーションとモーション開始命令とは同一のモーションであってよい。
ユーザのモーション、複数のアイコン及びポインタを用いてディスプレイ装置１００を制御する方法については、図１３ないし図１８を参照して詳細に説明する。
制御部１４０は、放送受信部１５０を介して受信された放送信号を信号処理して図１３に示すように、放送映像１３００をディスプレイ画面にディスプレイする。
【０１６３】
このとき、モーション入力部１２０を介してモーション開始命令が入力されると、制御部１４０はディスプレイ装置１００の制御モードをモーションタスクモードに切り替える。このとき、モーションタスクモードとは、ディスプレイ装置１００をモーション入力部１２０を介してユーザのモーションによって制御されるモードである。モーション開始命令の代わりにモーションタスクモードを開始するための別の種類のユーザ命令を利用することができる。別の種類のユーザ命令は、リモコンの特定ボタン入力、ディスプレイ装置１００の特定ボタン入力、ユーザの特定音声等を含むことができる。
【０１６４】
モーションタスクモードに切り替わると、制御部１４０はディスプレイ装置１００の特定機能を行うための複数のアイコン１４１０、１４３０、１４４０、１４６０及びポインタがディスプレイ１４７０される。具体的に、図１４に示すように、制御部１４０は、ディスプレイ画面の左側領域に音量レベル制御のための音量アップアイコン１４１０及び音量ダウンアイコン１４３０をディスプレイし、ディスプレイ画面の右側領域にチャネル制御のためのチャネルアップアイコン１４４０、チャネルダウンアイコン１４６０をディスプレイし、ディスプレイ画面の中央領域にポインタ１４７０をディスプレイする。
【０１６５】
このとき、音量アップアイコン１４１０及び音量ダウンアイコン１４３０の間にはディスプレイ装置１００の現在の音量レベル情報１４２０がディスプレイされる。そして、チャネルアップアイコン１４４０及びチャネルダウンアイコン１４６０の間にはディスプレイ装置１００の現在のチャネル情報（例えば、チャネル名、チャネル番号）１４５０がディスプレイされる。よって、ユーザは現在設定されたチャネル情報及び音量レベル情報を容易に確認することができるようになる。現在の音量レベル情報１４２０と現在のチャネル情報１４５０との表示位置は、上述の位置と異なる位置であってよく、モーションタスクモードに切り替わると、現在の音量レベル情報１４２０と現在のチャネル情報１４５０とが直ちに表示されてよい。
【０１６６】
一方、上述の実施形態では、音量レベル制御のためのアイコン１４１０、１４３０が左側領域にディスプレイされ、チャネル制御のためのアイコン１４４０、１４６０が右側領域にディスプレイされるものとして説明したが、それは一実施形態に過ぎず、他の領域にディスプレイされてよい。
【０１６７】
なお、上述の実施形態では、音量レベル制御のためのアイコン１４１０、１４３０及びチャネル制御のためのアイコン１４４０、１４６０がディスプレイされるものとして説明したが、ディスプレイ装置１００の他の機能を制御するためのアイコン（例えば、消音、電源オフ等）のためのアイコンがディスプレイされてよい。
【０１６８】
複数のアイコン１４１０、１４３０、１４４０、１４６０及びポインタ１４７０がディスプレイされた状態で、モーション入力部１２０を介してユーザの手が開かれた状態で移動されるモーションが入力されると、制御部１４０は移動モーションに沿ってポインタ１４７０を移動させる。
【０１６９】
そして、ポインタ１４７０が複数のアイコン１４１０、１４３０、１４４０、１４６０のうちの１つのアイコン上に位置した状態で、モーション入力部１２０を介してユーザのグラブモーションが入力されると、制御部１４０はポインタ１４７０の位置したアイコンに対応する機能を実行させることができる。
【０１７０】
例えば、モーション入力部１２０を介してユーザの手が開かれた状態で左側に移動されるモーションが入力されると、制御部１４０は移動モーションに沿ってポインタ１４７０を左側に移動させる。そして、図１５に示すように、ポインタ１４７０が音量ダウンアイコン１４３０上に位置した状態でモーション入力部１２０を介してユーザのグラブモーションが入力されると、制御部１４０は現在ディスプレイ装置１００に設定された音量レベルを“１”減らす。すなわち、現在のディスプレイ装置１００に設定された音量レベルが“２１”の場合、ポインタ１４７０が音量ダウンアイコン１４３０上に位置した状態でモーション入力部１２０を介してユーザのグラブモーションが入力されると、制御部１４０は現在のディスプレイ装置１００の音量レベルを“２０”に設定する。そして、制御部１４０は、ディスプレイ装置１００の音量レベルを調整するだけでなく、図１６に示すように、音量レベル情報１４２０も変更されるようにする。
【０１７１】
このとき、制御部１４０は、モーション入力部１２０を介してグラブモーションが入力される場合、ユーザの手が動くとしても、ポインタ１４７０の位置を変更させずに固定させることができる。
【０１７２】
なお、ポインタ１４７０が音量ダウンアイコン１４３０上に位置した状態でモーション入力部１２０を介してユーザのグラブモーションが入力された回数に応じて、制御部１４０は現在のディスプレイ装置１００の音量レベルを引き続き減少することができる。グラブモーションの入力された回数は、スプレッドモードからグラブモーションに切り替わった回数で計算することができる。
【０１７３】
更に別の例として、モーション入力部１２０を介してユーザの手が開かれた状態で右側に移動されるモーションが入力されると、制御部１４０は移動モーションに沿ってポインタ１４７０を右側に移動させる。そして、図１７に示すように、ポインタ１４７０がチャネルダウンアイコン１４６０上に位置した状態でモーション入力部１２０を介してユーザのグラブモーションが２回入力されると、制御部１４０は現在ディスプレイ装置１００に設定されたチャネル番号から“２”減少された放送映像を受信してディスプレイする。すなわち、現在ディスプレイ装置１００に設定されたチャネル番号が“１１”の場合、ポインタ１４７０がチャネルダウンアイコン１４６０上に位置した状態で、モーション入力部１２０を介してユーザのグラブモーションが２回入力されると、制御部１４０は現在のディスプレイ装置１００のチャネル番号が“９”の放送映像を受信してディスプレイすることができる。そして、制御部１４０は、ディスプレイ装置１００のチャネルを制御するだけでなく、図１８に示すように、チャネル情報１４５０も変更されるようにする。
【０１７４】
なお、ポインタ１４７０がチャネルダウンアイコン１４６０上に位置した状態で、モーション入力部１２０を介してユーザのグラブモーションが入力された回数に応じて、制御部１４０は、現在のディスプレイ装置１００のチャネル番号を引き続き減少することができる。
【０１７５】
上述のようなディスプレイ装置１００により、ユーザはモーションを用いて便利かつ直観的にディスプレイ装置を制御することができ、手の位置情報と手の形の変化のみを用いてディスプレイ装置の機能を制御することができるようになり、ユーザのモーションが認識される速度を向上させることができる。
図１０は、本発明の一実施形態に係るユーザモーションを用いたディスプレイ装置１００の制御方法を説明するためのフローチャートである。
【０１７６】
まず、ディスプレイ装置１００は、モーション入力部１２０を介してモーション開始命令が入力されたか否かを判断する（Ｓ１９１０）。このとき、モーション開始命令はユーザの手を左右に複数回振るモーションであってよい。ここで、モーション開始命令の代わりに、モーションタスクモードを開始するための別の種類のユーザ命令を利用することができる。別の種類のユーザ命令は、リモコンの特定ボタン入力、ディスプレイ装置１００の特定ボタン入力、ユーザの特定音声等を含んでよい。
【０１７７】
モーション開始命令が入力されると（Ｓ１９１０−Ｙ）、ディスプレイ装置１００はディスプレイ装置１００のモードをモーションタスクモードに切り替える（Ｓ１９２０）。このとき、モーションタスクモードは、ディスプレイ装置１００をユーザモーションによって制御するモードである。
【０１７８】
モーションタスクモードに切り替わると、ディスプレイ装置１００はディスプレイ画面に複数のアイコン及びポインタをディスプレイする（Ｓ１９３０）。このとき、複数のアイコンは、ディスプレイ画面の左側領域または右側領域にディスプレイされ、ポインタは、ディスプレイ画面の中央領域にディスプレイされてよい。なお、複数のアイコンには、チャネル設定のためのアイコン及び音量レベル設定のためのアイコンが含まれてよい。このとき、音量レベル設定のためのアイコンの周囲には、ディスプレイ装置1００の現在の音量レベル情報がディスプレイされる。そして、チャネル設定のためのアイコンの周囲にはディスプレイ装置１００の現在のチャネル情報（例えば、チャネル名、チャネル番号）がディスプレイされる。
【０１７９】
そして、ディスプレイ装置１００は、モーション入力部１２０を介してユーザの第１モーションが入力されたか否かを判断する（Ｓ１９４０）。このとき、ユーザモーションは、ユーザの手を開いた状態で移動するモーションであってよい。
【０１８０】
第１モーションが入力されたと判断されると（Ｓ１９４０−Ｙ）、ディスプレイ装置１００は第１モーションに沿ってディスプレイ画面のポインタを移動させる（Ｓ１９５０）。
【０１８１】
そして、ディスプレイ装置１００は、モーション入力部１２０を介してユーザの第２モーションが入力されたか否かを判断する（Ｓ１９６０）。このとき、ユーザモーションは、ユーザの手を握るグラブモーションであってよい。
【０１８２】
第２モーションが入力されたと判断されると（Ｓ１９６０−Ｙ）、ディスプレイ装置１００はポインタの位置するアイコンに対応する機能を実行させる（Ｓ１９７０）。例えば、ポインタが音量アップアイコンに位置し、第２モーションが入力されたと判断されると、ディスプレイ装置１００は現在ディスプレイ装置１００に設定された音量レベルを増加させる。なお、ポインタが特定アイコンに位置した状態で第２モーションが入力された回数に応じて、ディスプレイ装置１００はポインタの位置するアイコンの機能を実行させることができるようになる。第２モーションが入力された回数は、第１モーションから第２モーションに切り替わった回数で計算することができる。
そして、ディスプレイ装置１００は第２モーションが入力される場合、ユーザの手が動いたとしても、ポインタを動かせずに固定させることができるようになる。
【０１８３】
上述のようなディスプレイ装置の制御方法によって、ユーザはユーザモーションを用いてより便利かつ直観的にディスプレイ装置１００を制御することができ、手の位置情報と手の形の変化のみを用いてディスプレイ装置の機能を制御することができるようになり、ユーザのモーションが認識される速度を向上させることができる。
以下では、図２０ないし図２２を参照し、音声入力方法に応じて異なる音声ガイド情報を提供する実施形値について説明する。
【０１８４】
特に、音声開始命令が入力されると、制御部１４０は入力された音声開始命令が第１音声開始命令か、第２音声開始命令かを判断する。ここで、音声開始命令とは、ディスプレイ装置１００の制御モードを音声入力部１１０を介して入力されるユーザ音声によって制御する音声タスクモードにシフトするための命令である。特に、第１音声開始命令は、ディスプレイ装置１００に具備された音声入力部１１０を介して入力された予め設定された単語が含まれたユーザ音声命令であり、第２音声開始命令はディスプレイ装置１００と連動する外部機器（例えば、リモコン）に含まれた予め設定されたボタンが押されるユーザ命令であってよい。しかし、上述の第１音声開始命令及び第２音声開始命令は一実施形態に過ぎず、他の方法の音声開始命令でも実現できてよい。
【０１８５】
音声開始命令が第１音声開始命令と判断されると、制御部１４０はディスプレイ装置１００のモードを第１音声タスクモードに切り替える。このとき、第１音声タスクモードは、ディスプレイ装置１００の音声入力部に入力されたユーザ音声に応じて制御される音声タスクモードである。
【０１８６】
そして、音声開始命令が第２音声開始命令と判断されると、制御部１４０はディスプレイ装置１００の制御モードを第２音声タスクモードに切り替える。第２音声タスクモードは、ディスプレイ装置１００と連動する外部機器に入力されたユーザ音声に応じて制御される音声タスクモードである。特に、第２音声タスクモードでは、外部機器に具備された音声入力ボタンを押す間にユーザの音声が入力されてよい。または、第２音声タスクモードでは、外部機器に具備された音声入力ボタンを１回押し、ユーザ音声を入力した後、再度音声入力ボタンを押すことにより、ユーザの音声が入力されてよい。
【０１８７】
特に、第１音声タスクモードでは、外部機器によって入力されたユーザの音声によってディスプレイ装置１００が制御されずに、第２音声タスクモードでは、ディスプレイ装置１００に具備された音声入力部に入力されたユーザ音声によってディスプレイ装置１００が制御されなくてよい。
【０１８８】
ディスプレイ装置１００の制御モードが音声開始命令に切り替わると、制御部１４０は、切り替わった音声タスクモードに対応する音声ガイド情報をディスプレイする。具体的に、ディスプレイ装置１００のモードが第１音声タスクモードに切り替わると、制御部１４０は、第１音声タスクモードに対応する第１音声ガイド情報をディスプレイする。そして、ディスプレイ装置１００の制御モードが第２音声タスクモードに切り替わると、制御部１４０は、第２音声タスクモードに対応する第２音声ガイド情報をディスプレイする。
第１音声ガイド情報及び第２音声ガイド情報については、図２０及び図２１を参照してより詳細に説明する。
【０１８９】
図２０は、本発明の一実施形態に係る第１音声ガイド情報を示す図である。図２０に示すように、第１音声ガイド情報２０００は、放送映像がディスプレイされる画面の下段にディスプレイされる。なお、第１音声ガイド情報２０００は、現在のディスプレイ装置の制御モードが第１音声タスクモードであることを報知するアイコン２０１０及びユーザの音声をガイドする複数の音声命令語２０２１ないし２０２７が含まれる。複数の音声命令語には、電源オフ音声命令語２０２１、外部入力音声命令語２０２２、チャネルショートカット音声命令語２０２３、チャネルアップ／ダウン（ＵＰ／ＤＯＷＮ）音声命令語２０２４、音量アンプ／ダウン（ＵＰ／ＤＯＷＮ）音声命令語２０２５、消音音声命令語２０２６及びＭＯＲＥ音声命令語２０２７が含まれる。ＭＯＲＥ音声命令語２０２７は、ディスプレイされた音声命令語以外の音声命令語を更に見るための命令語である。
このとき、第１音声タスクモードであることを報知するアイコン２０１０は、図２０に示すように、マイク形状であってよい。
【０１９０】
特に、第１音声ガイド情報２０００は、リモコンに具備されたボタンのうち、１回押すことで実行できるボタンに対応する音声命令語が含まれてよい。例えば、第１音声ガイド情報２０００は、チャネルアップ／ダウン音声命令語２０２４、音量アップ／ダウン音声命令語２０２５、消音音声命令語２０２６等が含まれてよい。
【０１９１】
図２１は、本発明の一実施形態に係る第２音声ガイド情報２１００を示す図である。図２１に示すように、第２音声ガイド情報２１００は、第１音声ガイド情報２０００がディスプレイされる領域と同一の領域の放送映像がディスプレイされる画面の下段にディスプレイされる。なお、第２音声ガイド情報２１００は、現在のディスプレイ装置のモードが第２音声タスクモードであることを報知するアイコン２１１０及びユーザの音声をガイドする複数の音声命令語２１２１ないし２１２７が含まれる。複数の音声命令語には、チャネルショートカット音声命令語２１２１、検索音声命令語２１２２、外部入力音声命令語２１２３、チャネルリスト音声命令語２１２４、お気に入り音声命令語２１２５及びＭＯＲＥ音声命令語２１２６が含まれる。このとき、お気に入り音声命令語２１２５は、ユーザが頻繁に使用する機能（例えば、特定のアプリケーション実行）を含むメニューをディスプレイするための音声命令語である。
【０１９２】
このとき、第２音声タスクモードであることを報知するアイコン２１１０は、図２０に示す第１音声タスクモードを報知するアイコン２０１０と異なるリモコン形状であってよい。よって、音声ガイド情報２０００、２１００に含まれたアイコン２０１０、２１１０を通じて、ユーザは現在の音声タスクモードが第１音声タスクモードか、第２音声タスクモードかを確認することができるようになる。
【０１９３】
そして、第２音声ガイド情報２１００に含まれた複数の音声命令語は、第１音声ガイド情報２０００に含まれた複数の音声命令語と一部異なってよい。特に、第２音声ガイド情報２１００は、リモコンに具備されたボタンのうち、１回押すことで実行できるボタンに対応する音声命令語を含まなくてよい。例えば、第２音声ガイド情報２１００は、チャネルアップ／ダウン音声命令語２０２４、音量アップ／ダウン音声命令語２０２５、消音音声命令語２０２６等が含まれなくてよい。それは、第２音声タスクモードでリモコンをユーザが握っているため、ユーザが声を出すより、リモコンボタンを押すほうがより便利になるためである。
【０１９４】
その代わりに、第２音声ガイド情報２１００には、検索音声命令語２１２２、外部入力音声命令語２１２３、チャネルリスト音声命令語２１２４及びお気に入り音声命令語２１２５のように、リモコンのボタンを用いて機能にシフトするため、２回以上のボタン入力が必要な機能に対応する音声命令語が含まれてよい。
【０１９５】
すなわち、上述のように、第１音声タスクモード及び第２音声タスクモードに応じて異なる音声ガイド情報を提供することにより、ユーザは複数の音声タスクモードに応じて、効率的かつ便利にディスプレイ装置１００を制御することができるようになる。
【０１９６】
第１音声ガイド情報２０００及び第２音声ガイド情報２１００のうちの一方がディスプレイされると、制御部１４０は当該する音声タスクモードで音声入力部１１０に入力されたユーザ音声に応じてディスプレイ装置１００を制御する。例えば、第１音声ガイド情報２０００がディスプレイされた状態で、音声入力部１１０を介して“消音”というユーザ音声が入力されると、制御部１４０はディスプレイ装置１００の音量レベルを“０”に設定することができる。なお、第２音声ガイド情報２１００がディスプレイされた状態で、音声入力部１１０を介して“チャネルリスト”というユーザ音声が入力されると、制御部１４０はディスプレイ部１９３にチャネルリストをディスプレイすることができる。
図２２は、本発明の一実施形態に係る音声入力方式に応じて異なる音声タスクモードを提供する方法を説明するためのフローチャートである。
【０１９７】
まず、ディスプレイ装置１００は、音声開始命令が受信される（Ｓ２２１０）。このとき、ここで、音声開始命令とは、ディスプレイ装置１００のモードを音声入力部１１０を介して入力されるユーザ音声によって制御する音声タスクモードにシフトするための命令である。特に、第１音声開始命令は、ディスプレイ装置１００に具備された音声入力部１１０を介して入力された予め設定された単語が含まれたユーザ音声命令であり、第２音声開始命令はディスプレイ装置１００と連動する外部機器（例えば、リモコン）に含まれた予め設定されたボタンが押されるユーザ命令であってよい。
そして、ディスプレイ装置１００は、入力された音声開始命令が第１音声開始命令か否かを判断する（Ｓ２２２０）。
【０１９８】
入力された音声開始命令が第１音声開始命令だとしたら（Ｓ２２２０−Ｙ）、ディスプレイ装置１００はディスプレイ装置１００のモードを第１音声タスクモードに切り替える（Ｓ２２３０）。ここで、第１音声タスクモードは、ディスプレイ装置１００に具備された音声入力部１１０を介して入力されるユーザ音声に応じてディスプレイ装置１００を制御するモードである。
【０１９９】
特に、第１音声タスクモードに切り替わると、ディスプレイ装置１００は第１音声ガイド情報をディスプレイする（Ｓ２２４０）。ここで、第１音声ガイド情報には、現在のディスプレイ装置１００のモードが第１音声タスクモードであることをガイドするアイコン及び第１音声タスクモードを行うための複数の音声命令語が含まれてよい。このとき、第１音声ガイド情報に含まれた複数の命令語には“チャネルアップ／ダウン音声命令語”、“音量アップ／ダウン音声命令語”及び“消音音声命令語”のように、ユーザの音声が入力されると、ディスプレイ装置１００の機能が直ちに実行できる音声命令語が含まれてよい。
そして、ディスプレイ装置１００は、第１音声ガイド情報を用いて音声タスクを行う（Ｓ２２８０）。
【０２００】
しかし、音声開始命令が第１音声開始命令ではない場合（Ｓ２２２０−Ｎ）、ディスプレイ装置１００は入力された音声開始命令が第２音声開始命令と判断する（Ｓ２２５０）。
【０２０１】
そして、ディスプレイ装置１００は、ディスプレイ装置１００のモードを第２音声タスクモードに切り替える（Ｓ２２６０）。このとき、第２音声タスクモードは、ディスプレイ装置１００と連動する外部機器（例えば、リモコン）に含まれた音声入力部１１０を介して入力されたユーザ音声に応じてディスプレイ装置１００を制御するモードである。特に、第２音声タスクモードでは、外部機器の予め設定された第２ボタン（例えば、音声入力ボタン）が押された後、外部機器に入力されたユーザ音声によって制御されてよい。
【０２０２】
第２音声タスクモードに切り替わると、ディスプレイ装置１００は第２音声ガイド情報をディスプレイする（Ｓ２２７０）。ここで、第２音声ガイド情報には、現在のディスプレイ装置１００のモードが第２音声タスクモードであることをガイドするアイコン及び第２音声タスクを行うための複数の音声命令語が含まれてよい。このとき、第２音声タスクモードであることをガイドするアイコンは、第１音声タスクモードであることを報知するアイコンとは異なる。そして、第２音声ガイド情報に含まれた複数の命令語には“外部入力音声命令語”、“チャネルリスト音声命令語”及び“お気に入り音声命令語”のように、デプスの存在する音声命令語が含まれてよい。
そして、ディスプレイ装置１００は、第２音声ガイド情報を用いて音声タスクを行う（Ｓ２２８０）。
【０２０３】
上述のようなディスプレイ装置１００の制御方法により、ユーザは相互異なる音声入力方式を用いてディスプレイ装置１００をより効率的に制御することができるようになる。
以下では、図２３ないし図２７を参照し、両手タスクモードを行うための両手入力ガイドＧＵＩに対する実施形態について説明する。
【０２０４】
両手（ｔｗｏ  ｈａｎｄｓ）を用いたモーションタスク（以下、“両手タスク”という）を行うための両手開始命令が入力されると、制御部１４０は両手を用いてモーションタスクを行う両手タスクモードに切り替える。ここで、両手タスクは、ディスプレイ画面のズームインまたはズームアウトを行うタスクであってよい。ここで、両手開始命令の代わりに、両手タスクモードを開始するための別の種類のユーザ命令を利用することができる。別の種類のユーザ命令は、リモコンの特定ボタン入力、ディスプレイ装置１００の特定ボタン入力、ユーザの特定モーション等を含むことができる。
特に、両手タスクを行うための両手開始命令は、片手ずつ順次に入力されてよく、両手が同時に入力されてよい。
【０２０５】
具体的に、モーション入力部１２０を介して片手を用いたモーション開始命令が入力されると、制御部１４０は片手を用いるモーションタスクを行うためのモーションタスクモードに切り替える。そして、モーションタスクモードに切り替わった状態で、モーション入力部１２０を介して他方の手を用いるモーション開始命令が入力されると、制御部１４０は両手開始命令が入力されたと認識することができる。ここで、片手を用いたモーション開始命令は片手を左右方向に複数回振るシェイクモーションであってよい。
【０２０６】
または、リモコンを用いてディスプレイ装置１００を制御する一般的な制御モードでモーション入力部１２０を介して両手を同時に左右方向に複数回振るシェイクモーションが入力されると、制御部１４０は両手開始命令が入力されたと認識することができる。
両手タスクモードに切り替わると、制御部１４０は、両手タスクを行うための両手入力ガイドＧＵＩをディスプレイする。
【０２０７】
具体的に、両手入力ガイドＧＵＩは両手の位置に対応する画面上の２地点を連結した直線を直径とする円状のＧＵＩであってよい。それについては、図２３ないし図２５を参照して具体的に説明する。
【０２０８】
モーション入力部１２０を介して両手開始命令が入力されると、制御部１４０はディスプレイ装置１００の制御モードを両手タスクモードに切り替え、モーションタスクモードを行うためのモーションガイド情報２３００をディスプレイする。
【０２０９】
このとき、モーションガイド情報２３００は、片手を用いたモーション開始命令が順次に入力された場合にのみ、ディスプレイされてよく、両手を同時に用いたモーション開始命令が入力された場合にはディスプレイされなくてよい。
【０２１０】
なお、両手開始命令が入力されると、制御部１４０は両手タスクモードを行うための両手入力ガイドＧＵＩ２３３０をディスプレイする。このとき、両手入力ガイドＧＵＩ２３３０には、図２３に示すように、円状のＧＵＩであってよい。勿論、楕円、三角、四角、直線等、ユーザの両手の位置を直観的に認識できる形状なら、別の形状のＧＵＩであってよい。そして、両手入力ガイドＧＵＩ２３３０の位置は、ユーザの両手の位置に応じて決まるが、ディスプレイ画面の中央領域にディスプレイされるように設定することができる。
【０２１１】
そして、モーション入力部１２０を介してユーザの両手が一定間隔を維持しつつ移動するモーションが入力されると、制御部１４０はディスプレイ画面の両手入力ガイドＧＵＩ２３３０を移動させる。例えば、図２３に示すように、ディスプレイ画面の中央領域に両手入力ガイドＧＵＩ２３３０がディスプレイされた状態で、モーション入力部１２０を介してユーザの両手が一定間隔を維持しつつ右方に移動するモーションが入力されると、制御部１４０は両手入力ガイドＧＵＩ２３３０を図２４に示すように、右方に移動させる。
【０２１２】
そして、両手入力ガイドＧＵＩ２３３０がディスプレイ画面上の一領域に表示された状態で、両手が相互離れるモーションが入力されると、制御部１４０は両手入力ガイドＧＵＩ２３３０が表示された領域内の所定位置を基準に、ズームインを行う。例えば、図２４に示すように、両手入力ガイドＧＵＩ２３３０がディスプレイ画面上の右側領域に表示された状態で両手が離れるモーションが入力されると、制御部１４０は図２５に示すように、両手入力ガイドＧＵＩ２３３０が表示された領域内の所定位置を基準にディスプレイ装置を拡大することができる。このとき、両手が離れるモーションは、両手が相互離れる方向に移動するモーションであってよく、片手は固定されていて他方の手のみが移動するモーションであってよい。
【０２１３】
なお、両手入力ガイドＧＵＩ２３３０がディスプレイ画面上の一領域に表示された状態で、両手が相互近づくモーションが入力されると、制御部１４０は両手入力ガイドＧＵＩ２３３０が表示された領域内の所定位置を基準にズームアウトを行うことができる。ここで、両手入力ガイドＧＵＩ２３３０が表示された領域内の所定位置は、両手入力ガイドＧＵＩが表示された領域の中心点や重さの中心になる位置であってよい。
【０２１４】
本発明の更に別の実施形態によると、両手入力ガイドＧＵＩは、図２３ないし図２５に示すように、円状のＧＵＩではない図２６に示すような２つのポインタ２６３０−１、２６３０−２で実現されてよい。このとき、２つのポインタ２６３０−１、２６３０−２のそれぞれは、円状、楕円状、手のひらの形状、矢印の形状のうちの１つであってよいが、それに限定されるものではない。
【０２１５】
このとき、勿論、２つのポインタ２６３０−１、２６３０−２がディスプレイ画面上の一領域に表示された状態で両手が相互離れるモーションが入力されると、制御部１４０は２つのポインタ２６３０−１、２６３０−２に関連する所定位置を基準にズームインを行う。なお、２つのポインタ２６３０−１、２６３０−２がディスプレイ画面上の一領域に表示された状態で両手が相互近づくモーションが入力されると、制御部１４０は２つのポインタ２６３０−１、２６３０−２に関連する所定位置を基準にズームアウトを行うことができる。ここで、２つのポインタに関連する所定位置は、２つのポインタを連結する直線の中心点や２つのポインタを含む外郭線からなる図形（例えば、円、楕円、三角、四角等）の中心点や重さの中心点に設定することができる。なお、２つのポインタのうちの一方の位置を所定の位置に設定することができる。この場合には、２つのポインタに対応する両手のうち動かない手に対応するポインタが基準になってよく、動く手の動きに応じてディスプレイ画面が拡大または縮小されてよい。
【０２１６】
ただ、２つのポインタ２６３０−１、２６３０−２がディスプレイされる場合、片手のみ動く場合には、片手の動きに応じて動いた手に対応するポインタの位置が移動され、両手が両方動く場合には、２つのポインタの位置が両方移動される。ポインタの位置が移動する間ディスプレイ画面は、拡大または縮小される。
【０２１７】
上述のように、ユーザは両手を用いて画面の拡大／縮小をより直観的かつ便利に行うことができるようになり、タッチ入力が可能なディスプレイ装置で実行され得るマルチタッチを用いた画面の  拡大／縮小と類似するユーザの経験を提供するようになる。
図２７は、本発明の一実施形態に係る両手を用いたモーションタスクを行う方法を説明するためのフローチャートである。
【０２１８】
まず、ディスプレイ装置１００は両手開始命令が入力されたか否かを判断する（Ｓ２７１０）。このとき、両手開始命令は片手ずつ順次に入力されてよく、両手が同時に入力されてよい。
【０２１９】
具体的に、モーション入力部１２０を介して片手を用いたモーション開始命令が入力された後、片方の手を用いるモーション開始命令が入力されると、ディスプレイ装置１００は両手開始命令が入力されたと認識することができる。または、モーション入力部１２０を介して両手を同時に左右方向に複数回振るシェイクモーションが入力されると、ディスプレイ装置１００は両手開始命令が入力されたと認識することができる。
【０２２０】
両手開始命令が入力されると（Ｓ２７１０−Ｙ）、ディスプレイ装置１００はディスプレイ装置１００の制御モードを両手タスクモードに切り替える（Ｓ２７２０）。このとき、両手タスクモードとは、両手のモーションを用いてディスプレイ装置１００を制御するモードとして、両手タスクにはディスプレイ画面を拡大または縮小するタスクが含まれてよい。
【０２２１】
両手タスクモードに切り替わると、ディスプレイ装置１００は両手タスクを行うための両手入力ガイドＧＵＩを生成してディスプレイする（Ｓ２７３０）。このとき、両手入力ガイドＧＵＩは、図２３に示すように、円状のＧＵＩ２３３０であってよく、図２６に示すように、２つのポインタＧＵＩ２６３０−１、２６３０−２であってよい。しかし、それは一実施形態に過ぎず、楕円、三角、四角、直線等、ユーザの両手の位置を直観的に認識することができる形状なら別の形状のＧＵＩであってよい。
そして、ディスプレイ装置１００は、両手入力ガイドＧＵＩを用いて両手タスクを行う（Ｓ２７４０）。
【０２２２】
具体的に、両手入力ガイドＧＵＩが円形のＧＵＩの場合、モーション入力部１２０を介して両手が一定間隔を維持しつつ移動されるモーションが入力されると、ディスプレイ装置１００は円形のＧＵＩを移動させることができる。そして、両手が離れたり近づくモーションが入力されると、ディスプレイ装置１００は円形のＧＵＩがディスプレイされた地点を基準にディスプレイ画面を拡大したり縮小することができる。
【０２２３】
または、両手入力ガイドＧＵＩが２つのポインタの場合、モーション入力部１２０を介して片手が移動されるモーションが入力されると、ディスプレイ装置１００は２つのポインタのうち、動いた手に対応するポインタを移動させる。そして、両手が離れたり近づくモーションが入力されると、ディスプレイ装置１００は２つのポインタの中間地点を基準にディスプレイ画面を拡大したり縮小することができる。
【０２２４】
上述のような本発明の多様な実施形態により、ユーザは両手制御ＧＵＩを用いてディスプレイ画面の拡大／縮小機能をより直観的かつ便利に行うことができるようになり、タッチ入力が可能なディスプレイ装置で実行され得るマルチタッチを用いた画面の拡大／縮小と類似するユーザの経験を提供するようになる。
以下では、図２８ないし図３３を参照し、音声エラーをガイドするフィードバックメッセージをランダムに出力する実施形態について説明する。
【０２２５】
音声開始命令が入力されると、制御部１４０はディスプレイ装置１００の制御モードを音声タスクモードに切り替える。このとき、音声タスクモードは、ディスプレイ装置１００が音声入力部１１０を介して入力されたユーザ音声によって制御されるモードである。
【０２２６】
そして、音声開始命令は、ディスプレイ装置１００に具備された音声入力部１１０を介して入力された予め設定された単語が含まれたユーザ音声命令（以下、“第１音声開始命令”という）か、ディスプレイ装置１００と連動する外部機器（例えば、リモコン）に含まれた予め設定されたボタンの押されるユーザ命令（以下、“第２音声開始命令”という）であってよい。特に、第１音声開始命令が入力されると、制御部１４０はディスプレイ装置１００のモードを第１音声タスクモードに切り替える。このとき、第１音声タスクモードは、ディスプレイ装置１００の音声入力部に入力されたユーザ音声に応じて制御される音声タスクモードである。第２音声開始命令が入力されると、制御部１４０はディスプレイ装置１００の制御モードを第２音声タスクモードに切り替える。第２音声タスクモードは、ディスプレイ装置１００と連動する外部機器に入力されたユーザ音声に応じて制御される音声タスクモードである。特に、第２音声タスクモードでは、外部機器に具備された音声入力ボタンを押す間ユーザの音声が入力されてよい。
【０２２７】
ディスプレイ装置１００のモードが第１音声タスクモード及び第２音声タスクモードのうちの一方に切り替わると、制御部１４０は、音声タスクモードを行うためのユーザ音声をガイドする音声ガイド情報をディスプレイするようにディスプレイ部１９３を制御する。このとき、音声ガイド情報４００は、図２９の下段に示すように、現在のディスプレイ装置のモードを示すモードガイドアイコン２８１０及びユーザの音声をガイドする複数の音声命令語２８２１ないし２８２７が含まれる。複数の音声命令語には、電源オフ音声命令語２８２１、外部入力音声命令語２８２２、チャネルショートカット音声命令語２８２３、チャネルアップ／ダウン（ＵＰ／ＤＯＷＮ）音声命令語２８２４、音量アンプ／ダウン（ＵＰ／ＤＯＷＮ）音声命令語２８２５、消音音声命令語２８２６及びＭＯＲＥ音声命令語２８２７が含まれてよい。ここで、ＭＯＲＥ音声命令語２８２７は、ディスプレイされた音声命令語以外の音声命令語を更に見るための命令語である。
【０２２８】
そして、モードガイドアイコン２８１０は、第１音声タスクモード及び第２音声タスクモードに応じて異なる。例えば、第１音声タスクモードにおけるモードガイドアイコン２８１０はマイクの形状のアイコンが含まれてよく、第２音声タスクモードにおけるモードガイドアイコン２８１０はリモコンの形状のアイコンが含まれてよい。
【０２２９】
音声ガイド情報２８００を用いて音声タスクを行う途中に、音声認識エラーが発生すると、制御部１４０は図２８に示すように、音声認識エラーをガイドする複数のフィードバックメッセージ２８５０のうちの１つをディスプレイする。ここで、音声認識エラーが発生する場合には、音声入力部１１０を介して入力されたユーザの音声が小さすぎる場合、音声入力部１１０を介して入力されたユーザの音声を認識した結果、音声データベースにマッチングする命令語がない場合及びユーザの操作の不慣れの場合のうち、少なくとも１つを含んでよい。
【０２３０】
特に、制御部１４０は、音声タスクのモード及び音声認識エラーの種類に応じて異なるようにフィードバックメッセージ２８５０をディスプレイすることができる。
【０２３１】
具体的に、制御部１４０は、第１音声タスクモードで音声認識エラーが発生した場合と、第２音声タスクモードで音声認識エラーが発生した場合によって、異なるようにフィードバックメッセージをディスプレイすることができる。例えば、第１音声タスクモードにおける音声認識エラーの場合、制御部１４０は図２９に示す複数のフィードバックメッセージ２９０１ないし２９１３のうちの１つをディスプレイすることができる。第２音声タスクモードにおける音声認識エラーの場合、制御部１４０は図３０ないし図３２に示す複数のフィードバックメッセージ３００１ないし３０１５、３１０１ないし３１０７、３２０１ないし３２０６のうちの１つをディスプレイすることができる。
【０２３２】
なお、制御部１４０は、第２音声タスクモードで音声認識エラーの種類に応じて異なるようにフィードバックメッセージ４５０をディスプレイすることができる。例えば、音声入力部１１０を介して入力されたユーザ音声の認識結果が音声データベースにマッチングする命令語がないか、ユーザの声が予め設定された値より小さいためユーザの音声を認識することができない場合、制御部１４０は図３０に示す複数のフィードバックメッセージ３００１ないし３０１５のうちの１つをディスプレイすることができる。ユーザ音声が入力された後も引き続き外部機器の音声入力ボタンを押している場合、制御部１４０は図３１に示す複数のフィードバックメッセージ３１０１ないし３１０７のうちの１つをディスプレイすることができる。外部機器の音声入力ボタンを押した後、予め設定された時間の間、ユーザの音声が入力されない場合、制御部１４０は図３２に示す複数のフィードバックメッセージ３２０１ないし３２０６のうちの１つをディスプレイすることができる。
【０２３３】
特に、制御部１４０は、最初の音声認識発生時に、音声タスクモード及び音声認識エラーの種類に応じて、デフォルト（ｄｅｆａｕｌｔ）されたフィードバックメッセージをディスプレイしてよい。例えば、第１音声タスクモードで音声認識エラーが発生した場合、制御部１４０は図２９に示すような複数のフィードバックメッセージのうちの第１メッセージ２９０１である“もう一度お話下さい”をディスプレイすることができる。第２音声タスクモードで入力されたユーザ音声が認識されなかった場合、制御部１４０は図３０に示す複数のフィードバックメッセージのうちの第１メッセージ３００１である“もう一度お話下さい”をディスプレイすることができる。第２音声タスクモードで、ユーザ音声入力の後も予め設定された時間の間、音声入力ボタンを押している場合、制御部１４０は図３１に示すような複数のフィードバックメッセージのうちの第１メッセージ３１０１である“ボタンから手を離して下さい”をディスプレイすることができる。第２音声タスクモードで音声入力ボタンを押した後予め設定された時間の間、ユーザ音声が入力されない場合、制御部１４０は図３２に示すような複数のフィードバックメッセージのうちの第１メッセージ３２０１である“ご希望の命令をお話下さい”をディスプレイすることができる。
【０２３４】
一方、上述のように、音声タスクモード及び音声認識エラーの種類に応じてデフォルトされたフィードバックメッセージは製造の際に設定されてよく、ユーザの操作によって変更されてよい。
【０２３５】
そして、繰り返し音声認識エラーが発生すると、制御部１４０はデフォルトされたフィードバックメッセージを除く残りのメッセージのうちの１つをランダムにディスプレイすることができる。例えば、第１音声タスクモードで繰り返し音声認識エラーが発生すると、制御部１４０は図２９に示す第１メッセージ２９０１を除く残りのメッセージ２９０２ないし２９１３のうちの１つをランダムにディスプレイすることができる。そして、第２音声タスクモードで入力されたユーザ音声が繰り返し認識できない場合、制御部１４０は図３０に示す第１メッセージ３００１を除く残りのメッセージ３００２ないし３０１５のうちの１つをランダムにディスプレイすることができる。第２音声タスクモードでユーザ音声入力後も引き続き音声入力ボタンを押す場合、制御部１４０は図３１に示す第１メッセージ３１０１を除く残りのメッセージ３１０２ないし３１０７のうちの１つを予め設定された時間（例えば、１０秒）毎にランダムにディスプレイすることができる。第２音声タスクモードで音声入力ボタンを押した後、予め設定された時間の間も引き続きユーザ音声が入力されない場合、制御部１４０は図３２に示すような第１メッセージ３２０１を除く残りのメッセージ３２０２ないし３２０６のうちの１つを予め設定された時間（例えば、１０秒）毎にランダムにディスプレイすることができる。
【０２３６】
上述のように、複数のフィードバックメッセージが音声認識エラー別、音声タスクモード別に異なるように提供されることで、ユーザは音声認識のエラーを正確に確認することができるようになる。なお、ユーザがまるでディスプレイ装置と対話するような効果を得ることができ、エンターテイメント要素が増大する。
【０２３７】
図３３は、本発明の一実施形態に係るディスプレイ装置１００で音声認識エラーが発生した場合、フィードバックメッセージを提供する方法を説明するためのフローチャートである。
【０２３８】
まず、ディスプレイ装置１００は、音声開始命令が入力されたか否かを判断する（Ｓ３３１０）。このとき、音声開始命令はディスプレイ装置１００の制御モードを音声タスクモードに切り替えるためのユーザ命令として、ディスプレイ装置１００に具備された音声入力部１１０を介して入力された予め設定された単語が含まれたユーザ音声命令である第１音声開始命令及びディスプレイ装置１００と連動する外部機器（例えば、リモコン）に含まれた予め設定されたボタンが押されるユーザ命令の第２音声開始命令が含まれてよい。
【０２３９】
音声開始命令が入力されると（Ｓ３３１０−Ｙ）、ディスプレイ装置１００はディスプレイ装置１００の制御モードを音声タスクモードに切り替える（Ｓ３３２０）。このとき、入力された音声開始命令が第１音声開始命令の場合、ディスプレイ装置１００はディスプレイ装置１００の音声入力部１１０を介して入力されたユーザ音声によって制御される第１音声タスクモードに切り替える。そして、入力された音声開始命令が第２音声開始命令の場合、ディスプレイ装置１００は外部機器の音声入力部１１０を介して入力されたユーザ音声によって制御される第２音声タスクモードに切り替える。
【０２４０】
音声タスクモードの間、ディスプレイ装置１００は音声認識エラーが発生しているか否かを判断する（Ｓ３３３０）。このとき、音声認識エラーが発生している場合には、音声入力部１１０を介して入力されたユーザの音声が予め設定された値より小さい場合、音声入力部１１０を介して入力されたユーザの音声を認識した結果、音声データベースにマッチングする命令語が場合及びユーザの操作の不慣れの場合のうち少なくとも一方を含んでよい。
【０２４１】
音声認識エラーが発生すると（Ｓ３３３０−Ｙ）、ディスプレイ装置１００は複数のフィードバックメッセージのうちの１つをディスプレイする（Ｓ３３４０）。このとき、フィードバックメッセージは音声タスク別、音声認識エラー別に異なるようにディスプレイされてよい。例えば、第１音声タスクモードで音声認識エラーが発生した場合、ディスプレイ装置１００は図２９に示す複数のフィードバックメッセージ２９０１ないし２９１３のうちの１つをディスプレイする。または、第２音声タスクモードで音声認識エラーは発生した場合、ディスプレイ装置１００は図３０ないし図３２に示す複数のフィードバックメッセージ３００１ないし３０１５、３１０１ないし３１０７、３２０１ないし３２０６のうちの１つをディスプレイすることができる。このとき、最初に音声認識エラーが発生した場合、ディスプレイ装置１００は複数のフィードバックメッセージのうち、デフォルトされたフィードバックメッセージをディスプレイすることができる。
そして、ディスプレイ装置１００は、音声認識エラーが繰り返し発生したか否かを判断する（Ｓ３３５０）。
【０２４２】
音声認識エラーは繰り返し発生すると（Ｓ３３５０−Ｙ）、ディスプレイ装置１００は複数のフィードバックメッセージのうち、他のフィードバックメッセージをランダムにディスプレイすることができる（Ｓ３３６０）。例えば、第１音声タスクモードで繰り返し音声認識エラーは発生すると、ディスプレイ装置１００は図２９に示す第１メッセージ２９０１を除く残りのメッセージ２９０２ないし２９１３のうちの１つをランダムにディスプレイすることができる。そして、第２音声タスクモードで入力されたユーザ音声が繰り返し認識できなかった場合、ディスプレイ装置１００は図３０に示す第１メッセージ３００１を除く残りのメッセージ３００２ないし３０１５のうちの１つをランダムにディスプレイすることができる。第２音声タスクモードでユーザ音声入力後も引き続き音声入力ボタンを押す場合、ディスプレイ装置１００は図３１に示す第１メッセージ３１０１を除く残りのメッセージのうちの１つ３１０２ないし３１０７を予め設定された時間（例えば、１０秒）毎にランダムにディスプレイすることができる。第２音声タスクモードで音声入力ボタンを押した後、予め設定された時間の間に引き続きユーザ音声が入力されない場合、ディスプレイ装置１００は図３２に示す第１メッセージ３２０１を除く残りのメッセージ３２０２ないし３２０６のうちの１つを予め設定された時間（例えば、１０秒）毎にランダムにディスプレイすることができる。
【０２４３】
上述のように、複数のフィードバックメッセージが音声認識エラー別、音声タスクモード別に異なるように提供されることで、ユーザは音声認識のエラーを正確に確認することができるようになる。なお、ユーザがまるでディスプレイ装置と対話するような効果を得ることができ、エンターテイメント要素が増大するようになる。
【０２４４】
以下では、図３４ないし図３８を参照して、アプリケーションに応じて異なるガイド情報を提供したり、ユーザの好みに応じて異なるガイド情報を提供する実施形態について説明する。
【０２４５】
制御部１４０は、音声タスクモードにシフトするための音声開始命令が入力されたか否かを判断する。音声開始命令が入力されると、制御部１４０はディスプレイ装置１００のモードを音声タスクモードに切り替える。このとき、音声タスクモードとは、音声入力部１１０によって入力されたユーザ音声命令語によってディスプレイ装置が制御されるモードである。上述のように、音声開始命令の代わりに、音声タスクモードを開始するための別の種類のユーザ命令を利用することができる。別の種類のユーザ命令は、リモコンの特定ボタン入力、ディスプレイ装置１００の特定ボタン入力、ユーザの特定モーション等を含むことができる。音声タスクモードに切り替わると、制御部１５０はディスプレイ画面に音声ガイド情報をディスプレイする。このとき、音声ガイド情報は、ディスプレイ装置１００で音声タスクモードを行うために、ユーザ音声入力をガイドする複数の音声命令語を含む。
【０２４６】
そして、ユーザの特定命令が入力されると、制御部１４０は音声ガイド情報に含まれた複数の命令語のうち少なくとも１つを他の音声命令語に変更する。このとき、ユーザの特定命令は、特定アプリケーションを実行させるためのユーザ命令か、ユーザ好みの音声命令語をディスプレイするためのユーザ命令であってよい。
【０２４７】
特に、音声ガイド情報は、複数の音声命令語のうちの一部の音声命令語（例えば、“電源オフ”音声命令語）が固定的にディスプレイされる固定命令語領域及び音声命令語が可変的に変更される変更命令語領域を含む。よって、ユーザの特定命令が入力されると、制御部１４０は音声ガイド情報のうち、変更命令語領域に含まれた音声命令語を他の命令語に変更することができる。
【０２４８】
本発明の一実施形態として、特定のアプリケーションを実行させるためのユーザ命令が入力されると、制御部１４０はユーザ命令に対応するアプリケーションを実行する。そして、制御部１４０は、音声ガイド情報に含まれた複数の音声命令語のうち少なくとも１つの命令語を現在実行されるアプリケーションに必要な音声命令語に変更することができる。
【０２４９】
このとき、アプリケーションに必要な音声命令語は、アプリケーションインストール時にディスプレイ装置１００の保存部１３０に保存される。そして、アプリケーションの実行命令が入力されると、制御部１４０は保存部１３０に保存されたアプリケーションに必要な音声命令語を読み取ってディスプレイ部１９３にディスプレイすることができる。
【０２５０】
本発明の更に別の実施形態として、ユーザ好みの音声命令語をディスプレイするためのユーザ命令が入力されると、制御部１４０は音声ガイド情報に含まれた複数の音声命令語のうち少なくとも１つの命令語をユーザ好みの音声命令語に変更することができる。このとき、ユーザ好みの音声命令語は、音声命令語設定メニューを用いてユーザによって予め登録された音声命令語であってよい。
【０２５１】
変更された音声ガイド情報には、変更前の音声ガイド情報に切り替えるための音声命令語が含まれてよい。例えば、変更前の音声ガイド情報に切り替えるための音声命令語に“終了”音声命令語が含まれてよい。
【０２５２】
よって、ユーザはアプリケーション別、ユーザ好み別にユーザに最適化した音声ガイド情報を用いて音声タスクモードを行うことができる。本発明の具体的な実施形態については、図３４ないし図３７を参照してより詳細に後述する。
【０２５３】
本発明の一実施形態として、制御部１４０は放送受信部１５０を介して外部の放送局から送出された放送信号を受信し、受信された放送信号に対する信号処理を行う。そして、図３４に示すように、制御部１４０は信号処理された放送映像をディスプレイ部１９３にディスプレイする。
【０２５４】
そして、音声入力部１１０を介して音声開始命令が入力されると、制御部１４０は、音声開始命令を認識して音声タスクモードに切り替える。このとき、音声開始命令は、音声タスクモードに切り替わるためのユーザ命令であり、音声タスクモードはディスプレイ装置１００が音声入力部１１０に入力されたユーザ音声によって制御されるモードである。このとき、音声開始命令の代わりに音声タスクモードを開始するための別の種類のユーザ命令を利用することができる。別の種類のユーザ命令は、リモコンの特定ボタン入力、ディスプレイ装置１００の特定ボタン入力、ユーザの特定モーション等を含んでよい。
【０２５５】
そして、音声タスクモードに切り替わると、制御部１４０は、図３５に示すように、音声タスクモードを行うための第１音声ガイド情報３５００をディスプレイする。このとき、第１音声ガイド情報３５００は放送映像がディスプレイされる画面の下段にディスプレイされる。
【０２５６】
なお、第１音声ガイド情報３５００は、現在のディスプレイ装置のモードが音声タスクモードであることを報知するアイコン３５１０及びユーザの音声をガイドする複数の音声命令語３５２１ないし３５２６、３５３０が含まれる。複数の音声命令語には、電源オフ音声命令語３５２１、外部入力音声命令語３５２２、チャネルショートカット音声命令語３５２３、チャネルアップ／ダウン（ＵＰ／ＤＯＷＮ）音声命令語３５２４、音量アンプ／ダウン（ＵＰ／ＤＯＷＮ）音声命令語３５２５、消音音声命令語３５２６及びＭＯＲＥ音声命令語３５３０が含まれてよい。ＭＯＲＥ音声命令語３５３０は、ディスプレイされた音声命令語以外の音声命令語を更に見るための命令語である。このとき、電源オフ音声命令語３５２１及びＭＯＲＥ音声命令語３５３０は固定的にディスプレイされる固定命令語領域に位置し、外部入力音声命令語３５２２、チャネルショートカット音声命令語３５２３、チャネルアップ／ダウン（ＵＰ／ＤＯＷＮ）音声命令語３５２４、音量アンプ／ダウン（ＵＰ／ＤＯＷＮ）音声命令語３５２５、消音音声命令語３５２６は可変的に変更され得る変更命令語領域に位置することができる。
【０２５７】
そして、マップアプリケーション実行命令が入力されると、制御部１４０は図３６に示すように、マップアプリケーションを実行させ、第１音声ガイド情報３５００をマップアプリケーションに対応する第２音声ガイド情報３６００に変更する。
【０２５８】
具体的に、マップアプリケーションが実行されると、制御部１４０は保存部１３０に保存されたマップアプリケーションに対応する音声命令語を読み取る。そして、制御部１４０は、変更アイテム領域にディスプレイされている音声命令語を読み取られた音声命令語に変更する。
【０２５９】
例えば、図３６に示すように、制御部１４０は固定命令語領域にディスプレイされる電源オフ音声命令語３６２１及びＭＯＲＥ音声命令語３６３０をそのままディスプレイする。そして、制御部１４０は、変更命令語領域にディスプレイされている外部入力音声命令語３５２２、チャネルショートカット音声命令語３５２３、チャネルアップ／ダウン（ＵＰ／ＤＯＷＮ）音声命令語３５２４、音量アンプ／ダウン（ＵＰ／ＤＯＷＮ）音声命令語３５２５、消音音声命令語３５２６を外部入力音声命令語３５２２、場所検索音声命令語３６２３、ルート検索音声命令語３６２４及び終了音声命令語３６２５に変更することができる。このとき、終了音声命令語３６２５は、変更前の音声ガイド情報に復帰するためのユーザ音声入力をガイドする音声命令語である。このとき、終了音声命令語３６２５が実行されると、制御部１４０は当該アプリケーションも同時に終了することができる。
よって、ユーザはマップアプリケーションを用いて使用できる機能を音声ガイド情報を通じて容易に確認することができるようになる。
【０２６０】
本発明の更に別の実施形態として、図３５に示すように、第１音声ガイド情報がディスプレイされた状態でユーザ好みの音声命令語を実行するためのユーザ命令（例えば、“Ｆａｖｏｒｉｔｅ”というユーザ音声）が入力されると、制御部１４０は図３７に示すように、音声ガイド情報３５００をユーザ好みの音声命令語が含まれた第３音声ガイド情報３７００に変更する。具体的に、ユーザ好みの音声命令語を実行するためのユーザ命令が入力されると、制御部１４０は保存部１３０に保存されたユーザ好みの音声命令語を読み取る。そして、制御部１４０は、変更命令語領域にディスプレイされている音声命令語を読み取られた音声命令語に変更する。
【０２６１】
例えば、図３７に示すように、制御部１４０は固定命令語領域にディスプレイされている電源オフ音声命令語３７２１及びＭＯＲＥ音声命令語３７３０をそのままディスプレイする。そして、制御部１４０は、変更アイテム領域にディスプレイされている外部入力音声命令語３５２２、チャネルショートカット音声命令語３５２３、チャネルアップ／ダウン（ＵＰ／ＤＯＷＮ）音声命令語３５２４、音量アンプ／ダウン（ＵＰ／ＤＯＷＮ）音声命令語３５２５、消音音声命令語３５２６をユーザ好みの音声命令語であるインターネット音声命令語３７２２、３Ｄ音声命令語３７２３、番組表音声命令語３７２４及び終了音声命令語３７２５に変更することができる。このとき、終了音声命令語３７２５は、変更前の第１音声ガイド情報に復帰するためのユーザ音声入力をガイドする音声命令語である。
よって、ユーザは自分の好む音声命令語を用いてディスプレイ装置１００をディスプレイすることができるようになる。
図３８は、本発明の一実施形態に係る音声ガイド情報で音声命令語を変更するための方法を説明するためのフローチャートである。
【０２６２】
まず、ディスプレイ装置１００は、音声開始命令が入力されたか否かを判断する（Ｓ３８１０）。このとき、音声開始命令とは、ディスプレイ装置１００のモードを音声タスクモードに切り替えるためのユーザ命令である。
【０２６３】
音声開始命令が入力されると（Ｓ３８１０−Ｙ）、ディスプレイ装置１００はディスプレイ装置１００の制御モードを音声タスクモードに切り替える（Ｓ３８２０）。このとき、音声タスクモードは、ディスプレイ装置１００が音声入力部１１０を介して入力されたユーザ音声によって制御されるモードである。
【０２６４】
音声タスクモードに切り替わると、ディスプレイ装置１００は音声ガイド情報をディスプレイする（Ｓ３８３０）。このとき、ディスプレイ装置１００が放送受信機能をする場合、音声ガイド情報は放送受信機能を制御するための音声命令語が含まれる。
【０２６５】
そして、ディスプレイ装置１００は、音声命令語変更のためのユーザ命令が入力されたか否かを判断する（Ｓ３８４０）。例えば、ディスプレイ装置１００は、特定アプリケーション（例えば、マップアプリケーション）の実行のためのユーザ命令が入力されたか否か及びユーザ好みの音声命令語のディスプレイのためのユーザ命令が入力されたか否かを判断する。
【０２６６】
音声命令語変更のためのユーザ命令が入力されたと判断されると（Ｓ３８４０−Ｙ）、ディスプレイ装置１００は音声ガイド情報に含まれた音声命令語のうち少なくとも１つを変更する（Ｓ３８５０）。このとき、変更される少なくとも１つの音声命令語は音声ガイド情報に含まれた音声命令語のうち変更命令語領域にディスプレイされた音声命令語であってよい。
【０２６７】
例えば、音声命令語変更のためのユーザ命令が特定アプリケーションの実行のためのユーザ命令の場合、ディスプレイ装置１００は音声ガイド情報に含まれた音声命令語のうち変更命令語領域にディスプレイされた音声命令語を特定アプリケーションに対応する音声命令語に変更することができる。または、音声命令語変更のためのユーザ命令がユーザ好みの音声命令語のディスプレイのためのユーザ命令の場合、ディスプレイ装置１００は音声ガイド情報に含まれた命令語のうち、変更命令語領域にディスプレイされた音声命令語をユーザ好みの音声命令語に変更することができる。
そして、ディスプレイ装置１００は、変更された音声ガイド情報を用いて音声タスクを行う（Ｓ３８６０）。
【０２６８】
上述のように、ディスプレイ装置で実行されるアプリケーション及びユーザ好みによって異なる音声ガイド情報を提供することにより、ユーザはより便利かつ効率的に電子機器を制御することができるようになる。
【０２６９】
一方、図３４ないし図３８では、音声ガイド情報が変更されることについて説明したが、それは一実施形態に過ぎず、モーションタスクモードを行うためのモーションガイド情報に含まれたモーション命令語が変更される実施形態も本発明の技術的思想に含まれてよい。
【０２７０】
具体的に、モーション入力部１２０を介してモーション開始命令が入力されると、制御部１４０はディスプレイ装置のモードをユーザモーションによって制御されるモーションタスクモードに切り替える。そして、制御部１４０は、ディスプレイ装置１００でモーションタスクモードを行うための複数のモーション命令語を含むモーションガイド情報をディスプレイする。
【０２７１】
モーションガイド情報がディスプレイされた状態で、アプリケーション実行命令が入力されると、制御部１４０は複数のモーション命令語のうち少なくとも１つの前記実行されるアプリケーションに対応するモーション命令語に変更することができる。
【０２７２】
上述のように、ディスプレイ装置で実行されるアプリケーションによって音声命令語を変更して提供することで、ユーザはより便利かつ効率的に電子機器を制御することができるようになる。
【０２７３】
一方、上述の実施形態では、ディスプレイ装置１００を制御するための外部機器としてリモコンを想定しているが、それは一実施形態に過ぎず、スマートフォンやＰＤＡ等のような携帯用端末機器を用いてディスプレイ装置１００を制御することができる。
【０２７４】
以上のような多様な実施形態に係る制御方法を行うためのプログラムコードは、多様な類型の記録媒体に保存されてよい。具体的には、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭ等のように、端末機で読み取り可能な多様な類型の記録媒体に保存されていてよい。
【０２７５】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０２７６】
１００  ディスプレイ装置
１１０  音声入力部
１２０  モーション入力部
１３０  保存部
１４０  制御部
１５０  放送受信部
１６０  外部端子入力部
１７０  リモコン信号受信部
１８０  ネットワークインターフェース部
１９０  出力部
１９３  ディスプレイ部
２００  中継機器
３００  外部機器
【図１】
2015535971.tif 000003
【図２】
2015535971.tif 000004
【図３】
2015535971.tif 000005
【図４】
2015535971.tif 000006
【図５】
2015535971.tif 000007
【図６】
2015535971.tif 000008
【図７】
2015535971.tif 000009
【図８】
2015535971.tif 000010
【図９】
2015535971.tif 000011
【図１０】
2015535971.tif 000012
【図１１】
2015535971.tif 000013
【図１２】
2015535971.tif 000014
【図１３】
2015535971.tif 000015
【図１４】
2015535971.tif 000016
【図１５】
2015535971.tif 000017
【図１６】
2015535971.tif 000018
【図１７】
2015535971.tif 000019
【図１８】
2015535971.tif 000020
【図１９】
2015535971.tif 000021
【図２０】
2015535971.tif 000022
【図２１】
2015535971.tif 000023
【図２２】
2015535971.tif 000024
【図２３】
2015535971.tif 000025
【図２４】
2015535971.tif 000026
【図２５】
2015535971.tif 000027
【図２６】
2015535971.tif 000028
【図２７】
2015535971.tif 000029
【図２８】
2015535971.tif 000030
【図２９】
2015535971.tif 000031
【図３０】
2015535971.tif 000032
【図３１】
2015535971.tif 000033
【図３２】
2015535971.tif 000034
【図３３】
2015535971.tif 000035
【図３４】
2015535971.tif 000036
【図３５】
2015535971.tif 000037
【図３６】
2015535971.tif 000038
【図３７】
2015535971.tif 000039
【図３８】
2015535971.tif 000040
【国際調査報告】
2015535971.tif 000041
2015535971.tif 000042